(57)【要約】【課題】本発明は、ウェアラブル製品及び／又は医療用製品のカスタマイズ製造を行なうシステムに関する。【解決手段】システムは、１つ以上のユーザの身体又は身体の一部のデジタル表現を格納して転送するように構成されるスキャンユニットと、１つ以上のプロバイダの製造ユニットであって、製造ユニットが、ウェアラブル製品及び／又は医療用製品をデジタル表現の幾何学的特徴に従って製造するように構成される、製造ユニットと、カスタマイズ製品選択プラットフォームとを備え、カスタマイズ製品選択プラットフォームは、ユーザデータベースと、製品データベースと、マッチング及び／又はコンフィギュレータエンジンとを備える。本発明は、複数のプロバイダにより製造される個人化製品のカスタマイズ選択及び製造を、集中管理ユーザプロフィールを使用して、ユーザの身体又は身体の一部の３Ｄデジタル表現に基づいて行なう対応システム及び方法に関する。【選択図】図１
2019525853.tif 000002
【特許請求の範囲】
【請求項１】
ウェアラブル製品及び／又は医療用製品（５０）のカスタマイズ製造を行なうシステムであって、
−１つ以上のユーザ（６０）の身体又は身体の一部のデジタル表現（５２）を格納して転送するように構成されるスキャンユニット（５１）と、
−１つ以上のプロバイダ（５４）の製造ユニット（５３）であって、前記製造ユニット（５３）が、前記ウェアラブル製品及び／又は医療用製品（５０）を前記デジタル表現（５２）の幾何学的特徴に従って製造するように構成される、前記製造ユニット（５３）と、
−カスタマイズ製品選択プラットフォーム（５５）と、を備え、前記カスタマイズ製品選択プラットフォーム（５５）は、
ａ）１つ以上のコンピューティング装置と、
ｂ）１つ以上のユーザ（６０）の身体又は身体の一部のデジタル表現（５２）を含むユーザデータベース（５６）と、
ｃ）好適には製品プロフィール（６７）として格納されて１つ以上のプロバイダ（５４）によるカスタマイゼーションの対象となる１つ以上の製品のデジタル表現（５８）を含む製品データベース（５７）と、
ｄ）前記製品（５０）の識別及び選択、並びに任意のカスタマイゼーションを前記製品データベース（５７）に基づいて行なって、カスタマイズ製造を１つ以上のユーザ（６０）の身体又は身体の一部のデジタル表現（５２）に従って行なうように構成されるコンピュータ実行可能ソフトウェアの形態のマッチング及び／又はコンフィギュレータエンジン（５９）と、
ｅ）（ｉ）前記スキャンユニット（５１）と前記ユーザデータベース（５６）との間のデータ転送、（ｉｉ）前記ユーザデータベース（５６）と前記マッチング及び／又はコンフィギュレータエンジン（５９）との間のデータ転送、（ｉｉｉ）前記製品データベース（５７）と前記マッチング及び／又はコンフィギュレータエンジン（５９）との間のデータ転送、及び（ｉｖ）前記マッチング及び／又はコンフィギュレータエンジン（５９）と前記製造ユニット（５３）との間のデータ転送を可能にするデータ接続と、を備え、
前記マッチング及び／又はコンフィギュレータエンジン（５９）は、身体又は身体の一部の前記デジタル表現（５２）の幾何学的特徴と前記製品データベース（５７）に格納されている１つ以上の製品の前記デジタル表現（５８）の比較を行なうように構成されるシステム。
【請求項２】
前記幾何学的特徴は、身長、全身の３Ｄ幾何学的寸法、足の幾何学的寸法、頭部寸法、眼間距離、胴サイズ、胴形状、手の幾何学的寸法、及び／又は解剖学的構造を含むグループから選択される、請求項１に記載のシステム。
【請求項３】
前記幾何学的特徴は、ユーザの身体の特定の個人身体特性、好適には足圧、歩行、身長、胴囲、身体形状、及び／又は体重を含む、請求項１又は２に記載のシステム。
【請求項４】
前記幾何学的特徴は、足の形状、フォーム、及び／又は運動、好適には足の回内運動及び／又は回外運動を含むグループから選択される、請求項１から３のいずれか一項に記載のシステム。
【請求項５】
前記幾何学的特徴は、ユーザの体重、身体の揺れ、四肢の長さの不一致、歩行周期運動、回内運動及び回外運動、並びに体重移動に関する更に別のデータを含む、請求項１から４のいずれか一項に記載のシステム。
【請求項６】
前記製品データベース（５７）は、カスタマイゼーションの対象となる前記製品のうち１つ以上の製品の電子表現（５８）を含む、請求項１から５のいずれか一項に記載のシステム。
【請求項７】
前記電子表現は、前記製品又は前記製品の一部のサイズ、形状、密度、軟度、フォーム、質感、カラー、又は重量を含むグループから選択される前記製品のカスタマイズ可能性に関する情報を含む製品プロフィールを含む、請求項１から６に記載のシステム。
【請求項８】
前記スキャンユニット（５１）はコンピューティング装置であり、前記コンピューティング装置に、１つ以上のユーザ（６０）の身体又は身体の一部のデジタル表現（５２）が格納され、前記ユーザデータベース（５６）に送信される、請求項１から７のいずれか一項に記載のシステム。
【請求項９】
前記スキャンユニット（５１）は、ユーザ（６０）の身体又は身体の一部の２Ｄ又は３Ｄデジタル表現を生成するように構成されるスキャニング装置（６１）を含む、又はスキャニング装置（６１）に接続される、請求項１から８のいずれか一項に記載のシステム。
【請求項１０】
ユーザ（６０）の身体又は身体の一部の前記デジタル表現（５２）は、３Ｄスキャニングにより取得されるユーザ（６０）の身体又は身体の一部の外側表面を表わす情報を含む１つ以上のコンピュータデータファイルを含む、又は１つ以上のコンピュータデータファイルからなる、請求項１から９のいずれか一項に記載のシステム。
【請求項１１】
前記ユーザデータベース（５６）は、各ユーザ（６０）に対応して、ユーザプロフィール（５）を含み、前記プロフィール（５）は、足サイズ、足形状、ユーザ身長、体重、肉体的活動状態、及び／又は医学的状態から選択される前記ユーザ（６０）の１つ以上の肉体的特徴及び／又は幾何学的特徴に関する情報を含む、請求項１から１０のいずれか一項に記載のシステム。
【請求項１２】
前記ユーザプロフィール（５）は、これまでの製品選択、及び／又は興味、購入履歴、過去及び／又は現在の所在地、ユーザ識別番号、配送先住所、好みのカラー、ブランド、及び／又は靴価格、言語に関する情報を含む、請求項１から１１に記載のシステム。
【請求項１３】
前記カスタマイズ製品選択プラットフォーム（５５）は、
−注文を行なう、支払を行なう、及び／又は前記ユーザとプロバイダとの間の配送手順を行なうように構成される１つ以上のコンピュータ実行可能ソフトウェアモジュールを含む、請求項１から１２のいずれか一項に記載のシステム。
【請求項１４】
更に、
−他のユーザによる購入需要及び／又は製品興味（トレンディング）に応じた製品提案を行なうように構成され、前記提案は、年齢、過去及び／又は現在の所在地、好みのカラー、ブランド、及び／又は靴価格のような前記ユーザプロフィール内の情報に応じて選択される及び／又はランク付けされることが好ましい、請求項１から１３のいずれか一項に記載のシステム。
【請求項１５】
更に、
−製品提案を製品の類似度に応じてこれらのユーザに対して、前記ユーザのこれまでの製品選択及び／又は興味に従って行なうように構成され、前記提案は、年齢、過去及び／又は現在の所在地、好みのカラー、ブランド、及び／又は靴価格のような前記ユーザプロフィール内の情報に応じて選択される及び／又はランク付けされることが好ましい、請求項１から１４のいずれか一項に記載のシステム。
【請求項１６】
更に、
−データ及び／又はメッセージ送信（授受）を、複数のユーザ間で行なう（メッセージング）ように、及び／又はデータ及び／又はメッセージ送信をソーシャルメディアプラットフォームに対して行なうように構成される、請求項１から１５のいずれか一項に記載のシステム。
【請求項１７】
少なくとも２つ以上のプロバイダ（５４）を備え、各プロバイダ（５４）は、１つ以上の製造ユニット（５３）を含む、請求項１から１６のいずれか一項に記載のシステム。
【請求項１８】
前記カスタマイズ製品選択プラットフォーム（５５）は、ユーザ所在地、ユーザ興味、ユーザ注文、及び／又はカスタマイゼーション選択に関する情報を記録し、トレンドを前記情報内に、カスタマイズ製造製品（５０）と前記ユーザプロフィール（５）に由来するデータとの相関の形式で特定し、提案をユーザ（６０）に対して、及び／又はカスタマイズ可能製品（５０）のプロバイダ（５４）に対して前記相関に従って行なうように構成される１つ以上のコンピュータ実行可能ソフトウェアモジュールを含む、請求項１から１７のいずれか一項に記載のシステム。
【請求項１９】
前記ウェアラブル製品及び／又は医療用製品（５０）は靴又は靴の一部（６２）であり、前記システムは、
−１つ以上のユーザ（６０）の足又は足の一部のデジタル表現（６３）を格納して転送するように構成されるスキャンユニット（５０）と、
−１つ以上のプロバイダ（５４）の靴製造ユニット（６４）であって、前記靴製造ユニット（５４）が、靴又は靴の一部（６２）を、前記デジタル表現（６３）の幾何学的特徴に従って製造するように構成される、前記靴製造ユニット（６４）と、
−カスタマイズ製品選択プラットフォーム（５５）と、を備え、前記カスタマイズ製品選択プラットフォーム（５５）は、
ａ）１つ以上のコンピューティング装置と、
ｂ）１つ以上のユーザの足又は足の一部のデジタル表現（６３）を含むユーザデータベース（５６）と、
ｃ）１つ以上のプロバイダ（５４）によるカスタマイゼーションの対象となる１つ以上の靴のデジタル表現（６５）を含む製品データベース（５７）と、
ｄ）靴又は靴の一部（６２）の識別及び選択、並びに任意のカスタマイゼーションを前記製品データベース（５７）に基づいて行なって、カスタマイズ製造を１つ以上のユーザ（６０）の足又は足の一部のデジタル表現（６３）に従って行なうように構成されるコンピュータ実行可能ソフトウェアの形態のマッチング及び／又はコンフィギュレータエンジン（５９）と、
ｅ）（ｉ）前記スキャンユニット（５１）と前記ユーザデータベース（５６）との間のデータ転送、（ｉｉ）前記ユーザデータベース（５６）と前記マッチング及び／又はコンフィギュレータエンジン（５９）との間のデータ転送、（ｉｉｉ）前記製品データベース（５７）と前記マッチング及び／又はコンフィギュレータエンジン（５９）との間のデータ転送、及び（ｉｖ）前記マッチング及び／又はコンフィギュレータエンジン（５９）と前記製造ユニット（６４）との間のデータ転送を可能にするデータ接続と、を備え、
前記マッチング及び／又はコンフィギュレータエンジン（５９）は、１つ以上のユーザ（６０）の足又は足の一部の前記デジタル表現（６３）の幾何学的特徴と前記製品データベース（５７）に格納されている１つ以上の靴の前記デジタル表現（６５）の比較を行なうように構成される、請求項１から１８のいずれか一項に記載のシステム。
【請求項２０】
前記靴製造ユニット（６４）は、靴、靴底、及び／又は靴インソールの製造を行なう射出装置、成形装置、及び／又は鋳込み装置（６６）を含む、靴又は靴の一部のカスタマイズ製造を行なう、請求項１から１９に記載のシステム。
【請求項２１】
前記射出装置、成形装置、及び／又は鋳込み装置（６６）は、複数の熱硬化性合成樹脂材料及び／又は熱可塑性合成樹脂材料（重合性及び／又は発泡性とすることができるベース材料及び添加剤のような）を混合することができ、前記材料を靴底又は靴インソールの形状のキャビティの内部に流し込むことができるミキシングヘッドを含む、靴のカスタマイズ製造を行なう、請求項１から２０に記載のシステム。
【請求項２２】
前記靴底又は靴インソールは、特定の物理特性を、ユーザの足の前記デジタル表現の幾何学的特徴に従って有する異なる成分材料及び／又は成分材料の混合物を含む複数のエリアを含む、請求項１から２１のいずれか一項に記載のシステム。
【請求項２３】
型又は成形型は、射出材料に特定の形状を付与するように構成される、請求項１から２２のいずれか一項に記載のシステム。
【請求項２４】
ウェアラブル製品及び／又は医療用製品（５０）の選択を行なってカスタマイズ製造を行なうコンピュータ実行方法であって、
−１つ以上のユーザ（６０）の身体又は身体の一部のデジタル表現（５２）を、コンピューティング装置の形態のスキャンユニット（５１）において行なうことを含み、前記装置は前記表現を格納して送信するように構成され、
−身体又は身体の一部の前記デジタル表現（５２）を、カスタマイズ製品選択プラットフォーム（５５）で構成されるユーザデータベース（５６）に送信することを含み、前記プラットフォームは、
ａ）１つ以上のコンピューティング装置と、
ｂ）１つ以上のユーザ（６０）の身体又は身体の一部のデジタル表現（５２）を含むユーザデータベース（５６）と、
ｃ）１つ以上の製品のデジタル表現（５８）を含む製品データベース（５７）であって、前記デジタル表現が、好適には製品プロフィール（６７）として格納されてカスタマイゼーションが１つ以上のプロバイダ（５４）により行なわれる、前記製品データベース（５７）と、
ｄ）製品（５０）の識別及び選択、並びに任意のカスタマイゼーションを前記製品データベース（５７）に基づいて行なって、カスタマイズ製造を１つ以上のユーザ（６０）の身体又は身体の一部のデジタル表現（５２）に従って行なうように構成されるコンピュータ実行可能ソフトウェアの形態のマッチング及び／又はコンフィギュレータエンジン（５９）と、
ｅ）（ｉ）前記スキャンユニット（５１）と前記ユーザデータベース（５６）との間のデータ転送、（ｉｉ）前記ユーザデータベース（５６）と前記マッチング及び／又はコンフィギュレータエンジン（５９）との間のデータ転送、（ｉｉｉ）前記製品データベース（５７）と前記マッチング及び／又はコンフィギュレータエンジン（５９）との間のデータ転送、及び（ｉｖ）前記マッチング及び／又はコンフィギュレータエンジン（５９）と前記製造ユニット（５３）との間のデータ転送を可能にするデータ接続と、を備え、
−製品選択を前記プラットフォーム（５５）から、１つ以上のプロバイダ（５４）の製造ユニット（５３）に送信することを含み、前記製造ユニット（５３）は、ウェアラブル製品及び／又は医療用製品（５０）を、ユーザ（６０）の身体又は身体の一部の前記デジタル表現（５２）の幾何学的特徴に従って製造するように構成され、
前記マッチング及び／又はコンフィギュレータエンジン（５９）は、身体又は身体の一部の前記デジタル表現（５２）の前記幾何学的特徴と前記製品データベース（５７）に格納されている１つ以上の製品の前記デジタル表現（５８）の比較を行なうように構成されるコンピュータ実行方法。
【請求項２５】
前記製品は、靴又は靴の一部（６２）であり、身体又は身体の一部の前記デジタル表現（５２）は、足又は足の一部のデジタル表現（６３）である、ウェアラブル製品及び／又は医療用製品（５０）のカスタマイズ製造を行なう、請求項２４に記載の方法。
【請求項２６】
前記方法は、前記靴又は前記靴の一部（６２）を、前記ユーザの（６０）の足又は足の一部の前記デジタル表現（６３）の幾何学的特徴に従って製造することを含む、靴又は靴の一部（６２）のカスタマイズ製造を行なう、請求項２４又は２５に記載の方法。
【請求項２７】
前記靴製造ユニット（６４）は、靴、靴底、及び／又は靴インソールの製造を行なう射出装置、成形装置、及び／又は鋳込み装置（６６）を含み、前記射出装置、鋳込み装置、及び／又は成形装置は、複数の熱硬化性合成樹脂材料及び／又は熱可塑性合成樹脂材料（重合性及び／又は発泡性とすることができるベース材料及び添加剤のような）を混合することができ、前記成分材料を靴底又は靴インソールの形状のキャビティの内部に流し込むことができるミキシングヘッドを含み、これにより、前記靴底又は靴インソールは、特定の物理特性及び／又は幾何学特性を、ユーザ（６０）の足の前記デジタル表現（６３）の幾何学的特徴に従って有する異なる成分材料及び／又は成分材料の混合物を含む複数のエリアを含む、請求項２５又は２６に記載の靴又は靴の一部（６２）のカスタマイズ製造を行なう方法。
【発明の詳細な説明】
【技術分野】
【０００１】
本発明は、ウェアラブル製品及び／又は医療用製品のカスタマイズ製造を行なうシステムに関するものであり、前記システムは、１つ以上のユーザの身体又は身体の一部のデジタル表現を格納して転送するスキャンユニットと、前記ウェアラブル製品及び／又は医療用製品を前記デジタル表現の幾何学的特徴に従って製造するように構成される１つ以上のプロバイダの製造ユニットと、ユーザデータベース、製品データベース、及びマッチング及び／又はコンフィギュレータエンジンを含むカスタマイズ製品選択プラットフォームと、を備えている。幾つかの実施形態では、本発明は、複数のプロバイダにより製造される個人化製品のカスタマイズ選択及び製造を、集中管理ユーザプロフィールを使用して、ユーザの身体又は身体の一部の３Ｄデジタル表現に基づいて行なう対応システム及び方法に関するものである。
【背景技術】
【０００２】
ウェアラブル製品及び医療用製品の大量生産は、産業革命以降、急速に盛んになってきており、一方において、普段着及びアパレル製品の価格低下をもたらしているが、他方においては、ユーザの厳格なニーズに関する品質及び特異性を大幅に低くしている。
【０００３】
大量生産の主要な不具合は、製品の独創性に欠けることである。多くの消費者ニーズを不満足になる場合が多い１つの解決策で満たすことが標準的な過程となっている。大量生産製品は、幾つかの場合では、任意の所定ユーザの特定の身体的要求に関する考慮が欠けているために不所望な医学的状態に至る可能性がある。例えば、各ユーザの足の独特な形を考慮することなく大量に製造される靴のサイズ分布が広がることにより、ゆがんだ歩行、膝及び腰の痛み、又は背中の問題に伴う医学的状態を発症してしまう。
【０００４】
大量生産の別の大きな不具合は、製品がエンドユーザに供給される前に必要とされる製品の棚卸資産又は在庫が増えることである。過剰在庫は、多くの製品を１度に製造することにより発生する。棚卸資産に対する要求が増えると、スペース、材料、及び大量生産に必要な労働力に対する投資だけでなく、大量生産製品の減耗に伴う投資が行なわれるので費用が増大する。通常の生産サイクルにより、供給前に数十万個の製品が製造される。スタイル及び製造嗜好の急激な変化により、大量生産製品の大部分が、簡単に廃棄されて、リサイクルの容量が小さいために、極めて環境に優しくない状態が発生し、決して使用されることがない膨大な数の製品の生産に投資される不必要なエネルギーコストが発生する。
【０００５】
ウェアラブル製品及び医療用製品の大規模製造に伴う大量廃棄及び独自性の欠如に鑑みて、個人の特定の好み、及びスタイル要求の他に、個人に合わせるという身体的要求を考慮することができる消費者製品及び医療用製品の両方を迅速かつ確実にカスタマイゼーションする別の技術が必要となる。
【０００６】
カスタマイズ服の製造を消費者の特定の身体データに基づいて行なうという解決策が提案されている（米国特許出願公開第２００８／０３１２７６５号明細書を参照）が、現在に至るまで、これらの技術を自動又は半自動カスタマイズ製造に用いられる集中型でユーザに特有のブランド非依存型システムに取り入れることができていない。
【０００７】
靴製造では、被験者に特有の足のフォーム、又は足のモーションに鑑みて、特定の矯正靴底又は靴インソールを使用することによるユーザカスタマイゼーションを従来より行なってきている。例えば、米国特許第７３９２５５９号明細書は、カスタム矯正靴中敷を製造する方法及び装置について記載していた。
【０００８】
米国特許出願公開第２００７／００３９２０５号明細書は、光スキャナと、圧力を測定するセンサと、を含む足測定装置を開示している。米国特許出願公開第２００９／００７６７７２号明細書は、足情報を取得するための自動靴製造機について記載しており、この情報は、カスタムメイド靴を組み立てると、引き続き考慮される。これらの測定装置により生成される情報は通常、靴型装具処方に変換されて、店員が一連の事前に製造された履物構成部材から製作される靴ペアを組み立てることができるようにする。
【０００９】
米国特許出願公開第２０１４／０２７７６５８号明細書は、患者の保護用履物構造及び製造システム並びに方法を開示している。米国特許出願公開第２０１５／００６１１６６号明細書は、カスタムメイド眼鏡を製造する装置及び方法について記載している。米国特許出願公開第２０１４／０３４０４７９号明細書は、応答プロセス本体の測定値を取得するシステム及び方法を開示している。米国特許出願公開第２００９／００７６７７２号明細書は、靴中敷、及びこのような靴中敷を製造する方法並びに装置について記載している。米国特許出願公開第２０１１／００９９８４５号明細書は、カスタマイズ履物及び製造方法を開示している。欧州特許第１４７５２２２号明細書は、履物を製造する装置について記載している。
【００１０】
最適ではない歩行又は異常な足形状から生じる医学的状態は、従来から製造されてきたカスタマイズ靴により回避することができるが、カスタマイズ靴を自動手段により迅速に製造する集中型システムは、現在に至るまで、効果的には構築されていない。更に、上記システムの測定段階、及び製造−供給段階の各段階に関する時間と費用のコストが高く、主要マーケットへの当該システムの適用を阻害している。
【００１１】
別の有望な技術が開発中であるが、カスタマイズウェアラブル製品及び／又は医療用製品に関する個人の要求に対処する有効手段を提供するという重大な必要性が生じたままになっている。
【発明の概要】
【００１２】
先行技術に鑑みて、本発明の技術的課題は、カスタマイズウェアラブル製品及び／又は医療用製品を製造する手段の改善を図ることであった。
【００１３】
本発明の別の目的は、カスタマイズ製品をより迅速に製造して、エンドユーザにより迅速に供給するができるようにすることにある。
【００１４】
本発明の更に別の目的は、ウェアラブル製品及び／又は医療用製品のフィット感が悪くなることにより生じる不所望な医学的状態を、好適には、複数のプロバイダ又はブランド企業による広範囲のスタイル選択を維持しながら軽減することにある。
【００１５】
本発明の更に別の目的は、ウェアラブル製品及び／又は医療用製品の大量生産に対する棚卸要求を、好適には、前記製品の自動製造プロセスを維持しながら抑制することにある。
【００１６】
この問題は、独立請求項の特徴により解決される。本発明の好適な実施形態は、従属請求項により実現される。
【００１７】
したがって、本発明は、ウェアラブル製品及び／又は医療用製品のカスタマイズ製造を行なうシステムに関するものであり、システムは：
−１つ以上のユーザの身体又は身体の一部のデジタル表現を格納して転送するように構成されるスキャンユニットと、
−１つ以上のプロバイダの製造ユニットであって、前記製造ユニットが、前記ウェアラブル製品及び／又は医療用製品を前記デジタル表現の幾何学的特徴に従って製造するように構成される、前記製造ユニットと、
−カスタマイズ製品選択プラットフォームと、を備え、カスタマイズ製品選択プラットフォームは、
ａ）１つ以上のコンピューティング装置と、
ｂ）１つ以上のユーザの身体又は身体の一部のデジタル表現を含むユーザデータベースと、
ｃ）１つ以上のプロバイダによるカスタマイゼーションの対象となる１つ以上の製品のデジタル表現を含む製品データベースと、
ｄ）製品の識別及び選択、並びに任意のカスタマイゼーションを前記製品データベースに基づいて行なってカスタマイズ製造を１つ以上のユーザの身体又は身体の一部のデジタル表現に従って行なうように構成されるコンピュータ実行可能ソフトウェアの形態のマッチング及び／又はコンフィギュレータエンジンと、
ｅ）（ｉ）前記スキャンユニットと前記ユーザデータベースとの間のデータ転送、（ｉｉ）前記ユーザデータベースと前記マッチング及び／又はコンフィギュレータエンジンとの間のデータ転送、（ｉｉｉ）前記製品データベースと前記マッチング及び／又はコンフィギュレータエンジンとの間のデータ転送、及び（ｉｖ）前記マッチング及び／又はコンフィギュレータエンジンと前記製造ユニットとの間のデータ転送を可能にするデータ接続と、を備え、
マッチング及び／又はコンフィギュレータエンジンは、身体又は身体の一部のデジタル表現の幾何学的特徴と製品データベースに格納されている１つ以上の製品のデジタル表現の比較を行なうように構成される。
【００１８】
本発明のシステムは、技術的解決策、すなわちウェアラブル製品及び／又は医療用製品（好適には、靴又は靴の一部）のカスタマイズ製造を行なうという技術的解決策を技術的問題に対して提起する、すなわちカスタマイズウェアラブル製品及び／又は医療用製品を製造する手段を提供することにより、ユーザの健康、快適感、及び幸福感を向上させて、棚卸要求を抑制し、前記製品の配送時間の短縮を実現することができる。
【００１９】
本明細書に記載されるシステムは好ましくは、ブランド企業又はプロバイダに依存しないインターネットプラットフォームとして特徴付けられ、個人ユーザプロフィールを生成することができるので、様々なサードパーティプロバイダ／製造業者がアクセスできるアクセス先の統合された一連の個人データに基づく複数のプロバイダによる個人化製品のカスタマイズ製造が可能になる。
【００２０】
ユーザプロフィール内には、認証されたユーザからの異なる身体データ（本明細書において説明されるデジタル表現のような１つ以上の身体部位のデジタル表現のような）を格納することができ、身体データを次に使用して個人化ウェアラブル製品及び／又は医療用製品の特定の選択を行なうことになる。保存されている身体データのみが取得されて中央データベースに一旦格納される必要があり、この中央データベースに、潜在的な複数のカスタマイズ製造業者がアクセスできる。システムは、消費者向けの個人製品の選択を向上させて更に正確にすることができる。
【００２１】
好適な実施形態では、身体のデジタル表現は、以下の好適な特徴：身長、体重、全身の３Ｄ幾何学的寸法、足の幾何学的寸法、頭部寸法、眼間距離、胴サイズ及び／又は胴形状、手の幾何学的寸法、手の動き、解剖学的構造、身体的障害、及び／又は医学的状態に関連する。本明細書において説明されるシステムは、以下のウェアラブル製品及び／又は医療用製品のカスタマイズ製造を可能にし、ウェアラブル製品及び／又は医療用製品は、これらには限定されないが：靴、織物、ヘッドギア、帽子、ヘルメット、手袋、宝飾品であり、眼鏡、補聴器、又は補綴物のような個人向け補助製品である。「ｐｒｏｄｕｃｔ（製品）」に関して本明細書において説明される本発明のいずれの実施形態も、本明細書において記載される任意の１つ以上の特定の「ｐｒｏｄｕｃｔｓ（製品）」が現われる文脈における当該実施形態に関連する。
【００２２】
好適な実施形態では、身体のデジタル表現は、以下の好適な幾何学的特徴：身長、全身の３Ｄ幾何学的寸法、足の幾何学的寸法、頭部寸法、眼間距離、胴サイズ、胴形状、手の幾何学的寸法、及び／又は解剖学的構造に関連する。
【００２３】
「ｇｅｏｍｅｔｒｉｃ  ｃｈａｒａｃｔｅｒｉｓｔｉｃｓ（幾何学的特徴）」という用語は、足圧、歩行、身長、腹囲、身体形状、及び／又は体重のようなユーザの身体の個人の特定の肉体的特性を指すこともできる。
【００２４】
「ｇｅｏｍｅｔｒｉｃ  ｃｈａｒａｃｔｅｒｉｓｔｉｃｓ（幾何学的特徴）」という用語は、足の形状、フォーム、及び／又は回内運動及び／又は回外運動のような運動を指すことも好ましい。
【００２５】
具体的には、「ｇｅｏｍｅｔｒｉｃ  ｃｈａｒａｃｔｅｒｉｓｔｉｃｓ（幾何学的特徴）」という用語は、ユーザの体重、身体の揺れ、四肢の長さの不一致、歩行周期運動、回内運動及び回外運動、並びに体重移動に関する更に別のデータを含むことができる。
【００２６】
製品データに対するユーザデータの幾何学的特徴の比較は、本明細書において説明される任意の所定の適切なソフトウェアを使用して、又は当業者の知識に従って行なうことができる。
【００２７】
好適な実施形態では、医療用製品は、これらには限定されないが、靴、補綴物、補聴器、眼鏡、及びヘルメットに関連する。好適な実施形態では、ウェアラブル製品は、これらには限定されないが、靴、眼鏡、ヘルメットに関連し、シャツ、ズボン、ジャケット、スカート、ドレス又は他の衣類、帽子、宝飾品、もしくは手袋のようなアパレル又は衣類を表わす。
【００２８】
好適な実施形態では、足の形状、フォーム、回内運動又は回外運動のような運動、及び／又はヒトの体の動きの詳細なスキャン結果が得られ、製造データファイルが、前記データに基づいて生成される。製造プロセス及び方法が提供されて、ユーザの個人化身体データに基づく、様々なヒト個人のウェアラブル製品及び医療用製品の製造が可能になる。
【００２９】
カスタマイズされて製造されることになる製品は、足圧、歩行、身長、又は体重のようなユーザの身体の個人の特定の肉体的特性に対処することができる医療用製品に関連することが好ましい。特に、医療用製品の場合、個人のスキャン結果、及び対応する製造データ、プロセス、及び方法は、個人の医療ニーズに応えることができるので、技術的解決策を医学的問題／技術的問題に与えることができる。
【００３０】
ヒトの肉体について考慮する他に、幾つかの実施形態では、本発明により、製品を拡張現実ソフトウェアにより一連の構成パラメータに基づいて個人的にデザインすることができる。これらの構成パラメータは、本明細書において説明されるカスタマイズ製造プロセス及び方法により可能になる異なる材料及びデザイン、カラー、及び／又はスタイルに基づいて決定される。
【００３１】
好適な実施形態では、製品データベースは、カスタマイゼーションの対象となる前記製品のうち１つ以上の製品の電子表現を含む。更に、電子表現は製品プロフィールを含み、製品プロフィールは、製品又は製品の一部のサイズ、形状、密度、軟度、フォーム、質感、カラー、又は重量を含むグループから選択される製品のカスタマイズ可能性に関する情報を含むことが好ましい。
【００３２】
１つの実施形態では、本明細書において説明されるシステムは、スキャンユニットがコンピューティング装置であり、コンピューティング装置に、１つ以上のユーザの身体又は身体の一部のデジタル表現が格納され、ユーザデータベースに送信されることを特徴とする。具体的には、１つ以上のユーザの身体又は身体の一部のデジタル表現の幾何学的特徴は、ユーザデータベース内に格納することができ、ユーザデータベースに送信することができる。
【００３３】
スキャンユニットは、好適な実施形態では、スキャンデータを取り込むことにより定義され、当該ユニットが前記データを複数のユーザのデータベースに送信する能力により定義される。身体又は身体の一部をスキャンする装置は、本発明のスキャンユニットの限定的な態様ではない。したがって、スキャンユニットは、スキャンデータが格納される格納先のパーソナルコンピュータ又は他のコンピューティング装置を表わすことができ、当該ユニットは、データをユーザデータベースに送信するように構成される。
【００３４】
好適な実施形態では、スキャンデータは、ユーザの身体又は身体の一部のデジタル表現を含む１つ以上のデータファイルとして取り込むようにしてもよい。本発明により使用される身体又は身体のデジタル表現は、スキャン産業に使用される任意の種類のファイルフォーマットを用いることができる。例えば、デジタル表現は、専用フォーマット、ＤＸＦフォーマット、ＸＭＬフォーマット、又は好ましくはユーザの身体に関する２Ｄもしくは３Ｄ情報を格納するために適する他のフォーマットで格納することができる。
【００３５】
１つの実施形態では、本明細書において説明されるシステムは、スキャンユニットが、ユーザの身体又は身体の一部の外側３Ｄ形状を取り出す３Ｄ光スキャナのように、ユーザのほぼ全身又は全身の一部の２Ｄ又は３Ｄデジタル表現を生成するように構成されるスキャニング装置を含むことを特徴とする。
【００３６】
スキャニング装置は、スキャニング装置の寸法が、ユーザの身体の撮像データ又は他の適切なスキャンデータを取得するために適するように構成することができる、具体的には寸法が、足、ほぼ全身、胴体、頭部、頭部及び首、耳、ユーザの耳の内耳及び／又は外耳、手、腕、手を含む腕、又は手を含まない腕、脚、足を含む脚、又は足を含まない脚に関するデータを取得するために適するように構成することができる。
【００３７】
好適な実施形態では、スキャンデータにより、ユーザの身体又は身体の一部の分析が、取得される３Ｄデータの断面、スライスエリア、表面エリア、及び／又は体積の表現及び／又は分析により可能になる。好適な実施形態では、ユーザの身体又は身体の一部のデジタル表現は、１つ以上のコンピュータデータファイルを含む、又は１つ以上のコンピュータデータファイルからなり、１つ以上のコンピュータデータファイルは、ユーザの身体又は身体の一部の３Ｄデータから得られる断面、スライスエリア、表面エリア、及び／又は体積を表わす情報を含む。特定のスキャニング装置について、本明細書において更に詳細に説明する。
【００３８】
１つの実施形態では、本明細書において説明されるシステムは、１つ以上のプロバイダの製造ユニットを備え、前記製造ユニットは、前記ウェアラブル製品及び／又は医療用製品を、前記デジタル表現の幾何学的特徴に従って製造するように構成される。製造ユニットは、物理的に接近しているのでシステム内に含めることができる、又はシステムの残りの構成要素から地理的に分離することができる。製造ユニットは、幾つかの実施形態では、本発明の必須の構成要素を表わさないようにしてもよい。１つの実施形態では、本明細書において説明されるシステムは、１つ以上のプロバイダの製造ユニットを直接備えていないが、注文情報を前記１つ以上のプロバイダの１つ以上の製造ユニットに送信する技術的手段を備える。
【００３９】
前記製造ユニットは、好適にはウェアラブル製品又は医療用製品の自動製造又は半自動製造を、ユーザデータベースから供給されるユーザの身体又は身体の一部のデジタル表現を含むデータ、又はデジタル表現に対応するデータを使用して行なうために適する任意の装置に関連する。
【００４０】
１つの実施形態では、製造ユニットは、スキャニングユニットに地理的に接近して、又は物理的に接近して設けられる。例えば、システムは、好適にはスキャニング装置を含むスキャンユニット、及び同じ地理的位置にある、すなわちスキャニングユニット及び／又はスキャニング装置と同じ住所にある、同じ建物にある、又は同じ部屋にある製造ユニットの両方を備えることができる。
【００４１】
本明細書において使用されるように、「ｐｒｏｖｉｄｅｒ（プロバイダ）」という用語は、ウェアラブル製品及び／又は医療用製品を前記デジタル表現の幾何学的特徴に従って製造することができる任意の所定のエンティティを指す。例えば、プロバイダは、個人化データに基づいてカスタマイズ自動製造又は半自動製造を行なえる履物製造業者のような、ウェアラブル製品及び／又は医療用製品の自動製造に積極的な個人又は会社に関連することが好ましい。
【００４２】
好適な実施形態では、システムは、少なくとも２つ以上のプロバイダを備え、各プロバイダは、１つ以上の靴製造ユニットを備える。
【００４３】
好適な実施形態では、システムは、好適には複数の独立プロバイダ製の複数の製造ユニットを備える。
【００４４】
好適な実施形態では、プロバイダは、互いに地理的に分散している。
【００４５】
幾つかの実施形態では、互いに独立することができる製造ユニット又はプロバイダの数は、１〜１００，０００、好ましくは１〜１０，０００、例えば２〜１，０００である、又は他の実施形態では、プロバイダの数は、最小１、２、３、４、５、６、７、８、９、１０、２０、３０、４０、５０、１００、２００、又は５００から、最大１００、２００、３００、４００、５００、１，０００、２，０００、５，０００、又は１０，０００である。
【００４６】
したがって、システムは、複数のプロバイダがカスタマイズ製品をユーザに提供することができることにより、カスタマイズ製品製造を行なう改良型手段を提供するので、より密接にマッチする製品の迅速な、より効率的な製造を行なうことができ、ユーザの個人ニーズを満たすことができる。
【００４７】
好適な実施形態では、複数の製造ユニット、好適には複数の独立プロバイダを設けることにより、エンドユーザに関する医療効果又は治療効果を高めることができる製品の製造を推進するので、技術的効果がエンドユーザの身体的状態の改善により明らかになる。医療効果のような幸福感のこの向上は、前記複数のプロバイダからの複数のタイプ及び構成のカスタマイズ製品を選択することができることにより可能になるので、製品のフィット感／マッチング感を高め、製品の供給速度を高めることができる。
【００４８】
この利点は、具体的には、身体又は身体の一部のデジタル表現の幾何学的特徴を使用することにより達成されるので、ユーザの身体の又は身体の一部のデジタル表現と製品データベースに格納されている製品のデジタル表現の幾何学的マッチングが可能になる。身体又は身体の一部のデジタル表現の幾何学的特徴を、ユーザの身体又は身体の一部のデジタル表現と製品データベースに格納されている製品のデジタル表現のマッチングの状況において利用することは、幾何学的マッチングと表記されることが好ましい。幾何学的マッチングは、個人身体寸法と製品データベースに格納されている特性を有する製品のマッチング向上、マッチングに要する処理能力の負担軽減、及びユーザへの製品供給の迅速化のような技術的利点を伴う。システムの規模を調整することもできるので、プロバイダの数が非常に多くなっている状態では、正しいカスタマイズ商品をユーザに、より円滑に、又は更に効率的に供給するための技術的効果の向上、又は治療効果の向上が達成される。
【００４９】
本発明は、以下の好適なシステム又は方法、すなわちカスタマイズウェアラブル製品及び／又は医療用製品を製造する１つ以上のコンピューティング装置上で動作可能なシステム又は方法の１つ以上の特徴を取り入れることができ、本発明は：
−ユーザの２Ｄ又は３Ｄ身体測定を、好適には非接触式ボディスキャナを使用して行なうこと、
−ユーザに、ユーザが特定の製品デザインを選択することができる選択先の製品データベースから取得されることが好ましい複数のデジタル製品デザインを提供すること、
−選択した製品を、コンフィギュレーションエンジンを介してユーザの身体測定値に適合させてカスタマイズデザインを、例えばユーザスタイル及び／又はフィット嗜好をカスタマイズデザインに取り込んで個人化カスタムフィットデザインを実現することにより実現すること、
−ウェアラブル製品及び／又は医療用製品に対応するデジタルパターンを、個人化カスタムフィットデザインに基づいて生成すること、及び／又は
−個人化カスタムフィット製品をデジタルパターンに基づいて、自動製造プロセス又は半自動製造プロセスを使用して製造することを含む。
【００５０】
他の好適な実施形態では、ウェアラブル製品及び／又は医療用製品のカスタマイズ製造を行なう自動システムが提供され、システムは以下の特徴のうち１つ以上の特徴を含み、システムは：
−顧客の身体の形状、又は身体の一部の形状、好ましくは足の形状の２Ｄ又は３Ｄモデルを含むスキャン結果を取得するように構成されるスキャニング装置と、
−メモリ、入力デバイス、プロセッサ、ネットワーク接続、及びコンピュータ命令コード又はソフトウェアを有するコンピュータ可読記憶媒体を含むコンピュータと、を備え、コンピュータ命令コード又はソフトウェアは：
−サイズ決定パラメータをユーザのスキャンデータから抽出して、製品データベースから取得される製品のデジタル表現をスケーリングして、ユーザの身体又は身体の一部のユーザデジタル表現に合わせる；具体的には、ユーザの身体又は身体の一部のユーザデジタル表現の幾何学的特徴に合わせるサイズ決定アルゴリズム、
−ユーザがフィット嗜好及びスタイル嗜好を選択してデジタルパターンに取り込むことを可能にするカスタマイゼーションアルゴリズム、
−スキャナにより生成されるユーザの身体又は身体の一部の前記デジタル表現を用いてフィットさせた製品を、好ましくはリアルタイムに可視化する可視化アルゴリズムであって、好適にはユーザが、デザインパラメータと対話してデザインパラメータを変更し、ユーザの身体又は身体の一部のデジタル表現が、好ましくは前記表現の幾何学的特徴に関連する、可視化アルゴリズム、及び
−プロバイダが提供する一連のデジタル設計パターン（製品のデジタル表現）を含む製品データベース、及び／又は
−コントローラに接続される、又はネットワーク接続される製造機械及び材料ハンドリング機械と、を備える自動製造システムを含み、ユーザ製品選択に関するデータ、及び／又は身体スキャンデータは、製造実行中に送信又は考慮されて製造を、前記データ、特に前記データの幾何学的特徴に従って行えるようにする。
【００５１】
本明細書において使用されるように、「ｍａｎｕｆａｃｔｕｒｅｄ  ｉｎ  ａｃｃｏｒｄａｎｃｅ  ｗｉｔｈ（〜に従って製造される）」という用語は、ウェアラブル製品及び／又は医療用製品のカスタマイズ製造を、ユーザの身体又は身体の一部のユーザデジタル表現に基づいて行なわれることを指しており、これに限定されないが、製品又は製品の一部のサイズ、形状、密度、軟度、フォーム、質感、カラー、又は重量のような正しい特性の製品の製造を含み、前記特性は、ユーザの身体又は身体の一部のデジタル表現にマッチングする。マッチングは、ユーザの身体又は身体の一部のデジタル表現の幾何学的特徴に基づいて行なわれることが好ましい。幾何学的マッチングは、個人ユーザの個人の医学的状態を、製品又は製品の一部を識別する、選択する、及び／又は製品データベースに基づいてカスタマイズする場合に考慮に入れることができるので、非常に有利である。したがって、ウェアラブル製品及び／又は医療用製品のフィット感が悪くなる危険を、好適には、複数のプロバイダ又はブランド企業による広範囲のスタイル選択を維持しながら大幅に低くすることができる。
【００５２】
好適な実施形態では、前記ウェアラブル製品及び／又は医療用製品の製造を前記デジタル表現の幾何学的特徴に従って行なうことは、身体的利点及び／又は医学的利点が、ユーザが、ユーザのためにカスタマイズ製造を行なうことにより達成されることを特徴とする。したがって、カスタマイズ製造により、技術的効果を、ユーザの身体的特性及び／又は医学的特性の向上に関して発揮することができる。これらの技術的効果の例を以下に詳細に説明する。
【００５３】
好適な実施形態では、前記ウェアラブル製品及び／又は医療用製品の製造は、自動又は半自動で行なわれるので、適切なコンピュータプログラム及び／又はソフトウェアモジュールを適用して、製造プロセスをユーザデータベースから受信するデータを考慮しながら指示する、及び／又は制御する。ウェアラブル製品及び／又は医療用製品を、ユーザの身体のデジタル表現の幾何学的特徴に従って製造するという特定の解決策の例が本明細書において提供される。
【００５４】
好適な実施形態では、本発明のシステムは、カスタマイズ製品選択プラットフォームがデータ通信処理システムであることを特徴とする。好適な実施形態では、プラットフォームは更に、（１つ以上の）ウェアラブル製品及び／又は医療用製品データベース（製品データベース）を備え、前記製品データベースは、好適には１つ以上のプロバイダによるカスタマイゼーションの対象となる前記製品のうち１つ以上の製品の電子表現を含む。
【００５５】
前記電子表現は、製品プロフィール、例えば以下の例において説明されるモジュール製品プロフィールと表記することができる、又は製品プロフィールに格納することができ、前記電子表現は、製品のカスタマイズ可能性、すなわち製品又は製品の一部のサイズ、形状、密度、軟度、フォーム、質感、カラー、又は重量に関する情報を含む。別の表現をすると、電子表現は、製品又は製品の一部のサイズ、形状、密度、軟度、フォーム、質感、カラー、又は重量を含むグループから選択される製品のカスタマイズ可能性に関する情報を含む製品プロフィールを含むことが好ましい。
【００５６】
製品プロフィールには、好適な実施形態では、製造プロフィール又は生産プロフィール、例えば以下の例において説明されるモジュール製品プロフィールが付随し、モジュール製品プロフィールは、自動製造又は半自動製造を適切な製造装置で行なうための機械制御又は命令に関する特定の製品の製造を行なうための情報及び／又は命令を含む。
【００５７】
製品データベースは、好適な実施形態では、プロバイダの各プロバイダにより提供される製品に関して統一形式で提示される、製品又は製品の一部のサイズ、形状、密度、軟度、フォーム、質感、カラー、又は重量のような基礎情報を含み、これらの情報は、プロバイダのカスタマイズ可能な製造能力を考慮した形式で入手することができる。
【００５８】
別の好適な実施形態では、通信処理システムは更に、コンピュータ実行可能ソフトウェア（モジュール）の形態のマッチング及び／又はコンフィギュレータエンジンを備え、マッチング及び／又はコンフィギュレータエンジンは、前記製品の仮想識別、カスタマイゼーション、及び／又は選択を前記製品データベースに基づいて行なってカスタマイゼーションを、１つ以上のユーザの身体又は身体の一部のデジタル表現に従って行なうように構成される。
【００５９】
幾つかの実施形態では、カスタマイズ製品選択プラットフォームは、コアソフトウェアモジュール（１、２、３、４、５、９、１０及び／又は１２のうちの１つ以上）と、任意であるが、表１、２、及び／又は３に従って本明細書において説明される任意のコアモジュール（６、７、８、１１、１２、１３、１４及び／又は１５のうちの１つ以上）と、を備える。幾つかの実施形態では、表１の周辺モジュール（１６、１７、１８、１９、２０、２１、及び／又は２２のうちの１つ以上）も、カスタマイズ製品選択プラットフォームに含まれる。好適な実施形態では、カスタマイズ製品選択プラットフォームは更に、ユーザデータベース及び製品データベースを含む。
【００６０】
好適な実施形態では、ユーザデータベースはユーザプロフィールを含む。好適な実施形態では、製品データベースは、製品プロフィール及び／又は製造プロフィールを含む。
【００６１】
幾つかの実施形態では、マッチング及び／又はコンフィギュレータエンジンは、コアソフトウェアモジュール（１、２、３、４、５、９、１０及び／又は１２のうちの１つ以上）と、任意であるが、表１、２及び／又は３に従って本明細書において説明される任意のコアモジュール（６、７、８、１１、１２、１３、１４及び／又は１５のうちの１つ以上）と、を備える。幾つかの実施形態では、表１の周辺モジュール（１６、１７、１８、１９、２０、２１及び／又は２２のうちの１つ以上）も、マッチング及び／又はコンフィギュレータエンジンに含まれる。幾つかの実施形態では、マッチング及び／又はコンフィギュレータエンジンは、ユーザプロフィールを含むユーザデータベース、及び／又は製品プロフィール及び／又は製造プロフィールを含む製品データベースを備える。
【００６２】
カスタマイゼーションの対象となる前記製品のうちの１つ以上の製品の電子表現は、好適な実施形態では、前記ユーザが評価することができる前記製品の２Ｄ又は３Ｄデジタル表現を含むこともできる。例えば、前記製品の２Ｄ又は３Ｄ表現とのユーザの身体又は身体の一部の２Ｄ又は３Ｄ表現の比較は、製品の仮想「試着」におけるように、手動又は自動のいずれでも行なうことができる、又は製品データベースに格納され、かつマッチング及び／又はコンフィギュレータエンジンにより評価される製品データは、製品の選択及びカスタマイゼーション中にコンピュータ処理機能により自動的に解釈することができる。
【００６３】
１つの実施形態では、ユーザには、前記製品のデジタル表現を提示することができ、前記デジタル表現は、３次元で表示されることが好ましく、異なる角度又は視点から前記衣服がどのように見えるかを示すために動かすことができる。前記ユーザには更に、前記推定身体測定値に従った仮想人間の表現、好適には仮想人間の身体形状の表現を提示することができ、ユーザは、前記既製服を着用して前記パターンデータに従った製品を注文することができ、前記仮想人間は、３次元で提示されることが好ましく、見直しをして、どのように前記製品が使用時に見えるかを明らかにするために動くことができることが好ましい。具体的には、仮想人間の表現は、ユーザの身体又は身体の一部の幾何学的特徴に関連する。好適には、仮想人間の表現は、ユーザの身体形状、又はユーザの身体部位の形状を、前記推定身体測定値に従って、特に前記推定身体測定値の幾何学的特徴に従って表わしている。
【００６４】
好適な実施形態では、本発明のシステムは、ユーザの身体又は身体の一部のデジタル表現を含むユーザデータベース及び／又はスキャンユニットは更に、各ユーザに対応して、ユーザプロフィールを含むことを特徴とする。具体的には、ユーザデータベース及び／又はスキャンユニットは、ユーザの身体又は身体の一部のデジタル表現の幾何学的特徴を含むことが好ましい。
【００６５】
好適な実施形態では、ユーザプロフィールは：身長、体重、胴囲、及び／又は身体形状、これまでの製品選択、及び／又は興味、購入履歴、過去及び／又は現在の所在地、ユーザ識別番号、配送先住所、好みのカラー、ブランド、及び／又は価格範囲、言語、身体活動度及び／又は医学的状態のようなユーザの身体的及び／又は幾何学的特徴から選択されるユーザの１つ以上の態様に関する情報を含む。
【００６６】
好適な実施形態では、ユーザプロフィールは、ユーザの身体又は身体の一部の少なくとも１つのデジタル表現、好ましくはユーザの２Ｄ又は３Ｄ表現、更に好ましくは３Ｄ表現を含み、好ましくは本明細書において説明される様々なスキャニング技術により記述される通りの表現を含む。
【００６７】
好適な実施形態では、ユーザプロフィールは、ユーザの身体活動度及び／又は医学的状態に関する情報を少なくとも含む。これらの特徴を考慮することにより、好適には、ユーザプロフィールの形式のユーザの身体的及び／又は幾何学的特徴を考慮することにより、システムは、技術的及び／又は医学的問題を、身体的及び／又は医学的効果をユーザに対して発現するウェアラブル製品及び／又は医療用製品の選択及びカスタマイズ製造を可能にすることにより解決する。したがって、ユーザの身体活動度及び／又は医学的状態に関する情報を本発明のユーザプロフィールに含めることにより、技術的問題の解決に寄与するために適する本発明の技術的特徴を表わすことができる。
【００６８】
好適な実施形態では、本発明のシステムは、好適にはデータ通信処理システムの形態のカスタマイズ製品選択プラットフォームが更に、注文、支払、及び／又は配送手順を前記ユーザとプロバイダとの間で行なうように構成される１つ以上のコンピュータ実行可能ソフトウェアモジュールを備えることを特徴とする。本発明のシステムは、幾つかの実施形態では、カスタマイズ製品の注文、支払、及び／又は配送を可能にする「オンラインショップ」を備えることができる。クレジットカード又は「Ｐａｙｐａｌ（ペイパル）」もしくは同様の電子支払機構又はオンライン支払機構を取り入れたオンライン支払モジュールが当業者に知られている。
【００６９】
好適な実施形態では、本発明のシステムは、好適にはデータ通信処理システムの形態のカスタマイズ製品選択プラットフォームが更に、製品提案を他のユーザによる購入需要及び／又は製品興味（トレンディング）に応じて行なうように構成される１つ以上のコンピュータ実行可能ソフトウェアモジュールを備えることを特徴とする。
【００７０】
好適な実施形態では、以前の購入又は製品興味に基づく製品提案は、年齢、過去及び／又は現在の所在地、これまでの購入、好みのカラー、ブランド、及び／又は価格のようなユーザプロフィール内の情報に応じて選択される、及び／又はランク付けされることが好ましい。
【００７１】
好適な実施形態では、本発明のシステムは、好適にはデータ通信処理システムの形態のカスタマイズ製品選択プラットフォームが更に、製品提案を製品の類似度に応じてこれらのユーザに対して、ユーザのこれまでの製品選択及び／又は興味に従って行なうように構成される１つ以上のコンピュータ実行可能ソフトウェアモジュールを備えることを特徴とし、前記提案は、年齢、過去及び／又は現在の所在地、好みのカラー、ブランド、及び／又は価格のようなユーザプロフィール内の情報に応じて選択される、及び／又はランク付けされることが好ましい。
【００７２】
好適な実施形態では、本発明のシステムは、好適にはデータ通信処理システムの形態のカスタマイズ製品選択プラットフォームは更に、データ及び／又はメッセージ送信（授受）を、複数のユーザ及び／又はプロバイダの間で行なう（メッセージング）ように、及び／又はデータ及び／又はメッセージ送信をソーシャルメディアプラットフォームに対して行なうように構成される１つ以上のコンピュータ実行可能ソフトウェアモジュールを備えることを特徴とする。
【００７３】
更に別の態様では、本発明は、ウェアラブル装置及び／又は医療用装置の選択を行なってカスタマイズ製造を行なうコンピュータ実行方法に関するものであり、コンピュータ実行方法は：
−１つ以上のユーザの身体又は身体の一部のデジタル表現を、コンピューティング装置の形態のスキャンユニットにおいて行なうことを含み、前記装置は前記表現を格納して送信するように構成され、
−ユーザの身体又は身体の一部の前記デジタル表現を、カスタマイズ製品選択プラットフォームで構成されるユーザデータベースに送信することを含み、前記プラットフォームは：
ａ）１つ以上のコンピューティング装置と、
ｂ）１つ以上のユーザの身体又は身体の一部のデジタル表現を含むユーザデータベースと、
ｃ）１つ以上のプロバイダによるカスタマイゼーションの対象となる１つ以上の製品のデジタル表現を含む製品データベースと、
ｄ）前記製品の識別及び選択、並びに任意のカスタマイゼーションを前記製品データベースに基づいて行なってカスタマイズ製造を、１つ以上のユーザの身体又は身体の一部のデジタル表現に従って行なうように構成されるコンピュータ実行可能ソフトウェアの形態のマッチング及び／又はコンフィギュレータエンジンと、
ｅ）（ｉ）前記スキャンユニットと前記ユーザデータベースとの間のデータ転送、（ｉｉ）前記ユーザデータベースと前記マッチング及び／又はコンフィギュレータエンジンとの間のデータ転送、（ｉｉｉ）前記製品データベースと前記マッチング及び／又はコンフィギュレータエンジンとの間のデータ転送、及び（ｉｖ）前記マッチング及び／又はコンフィギュレータエンジンと前記製造ユニットとの間のデータ転送を可能にするデータ接続と、を備え、
−製品選択を前記プラットフォームから、１つ以上のプロバイダの製造ユニットに送信することを含み、前記製造ユニットは、ウェアラブル製品及び／又は医療用製品又はウェアラブル製品及び／又は医療用製品の一部を、ユーザの身体又は身体の一部のデジタル表現の幾何学的特徴に従って製造するように構成され、
マッチング及び／又はコンフィギュレータエンジンは、身体又は身体の一部のデジタル表現の幾何学的特徴と製品データベースに格納されている１つ以上の製品のデジタル表現の比較を行なうように構成される。
【００７４】
好適な実施形態では、本明細書において説明される方法は、ユーザの身体又は身体の一部のデジタル表現を、ユーザの身体又は身体の一部の外側３Ｄ形状を取り出す３Ｄ光スキャナのような、身体又は身体の一部の２Ｄ又は３Ｄデジタル表現を生成するように構成されるスキャナを使用して生成することを含む。
【００７５】
好適な実施形態では、本明細書において説明される方法は、ウェアラブル製品及び／又は医療用製品又はウェアラブル製品及び／又は医療用製品の一部を、前記デジタル表現の幾何学的特徴に従って製造することを含む。
【００７６】
好適な実施形態では、本発明は、本明細書において説明されるシステムに関するものであり、カスタマイズ製品選択プラットフォームは、１つ以上のユーザのユーザ所在地、ユーザ興味（本明細書において使用されるように、ユーザにより、及び／又はカスタマイゼーションについてプラットフォーム上で評価される製品を記録することにより事前に入力した値に従ったユーザ興味）、注文、及び／又はカスタマイゼーション選択に関する情報を記録して好ましくは分析し、トレンドを前記情報内にカスタマイズ製造の対象となる製品とユーザプロフィールに由来するデータとの相関の形式で特定し、提案をユーザに対して、及び／又はカスタマイズ可能な製品のプロバイダ（製造する準備をする）に対して、前記相関に従って行なうように構成される１つ以上のコンピュータ実行可能ソフトウェアモジュールを含む。
【００７７】
好適な実施形態では、ユーザ行動についてシステムから取得される情報、特にユーザ行動と、ユーザ所在地、興味、注文、及び／又はカスタマイゼーション選択に関する特定の情報との相関を含むデータ形式の情報、又はユーザ行動と、お天気サービス、及び／又は天気予報、マーケットトレンド、ショッピング又はスタイルトレンド、及び／又は医療トレンドに由来するスポーツイベント、音楽イベントのようなローカルイベントに関するニュースフィード情報のようなシステムの必須構成要素の外部のソースに由来するデータとの相関を含むデータ形式の情報は、１つ以上のプロバイダ、及び／又は１つ以上のプロバイダの製造ユニットに送信されて、特定のカスタマイズ製品の製造の準備が行なわれる。
【００７８】
例えば、任意の所定のユーザの地理的近傍におけるスポーツ又はプロモーションイベントのような大きなソーシャルイベントが開催される場合、トラフィックが増加している場所を特定して、トラフィックを特定のイベントに割り当てることができる。したがって、分析モジュールにより、ウェブサイト／プラットフォームの概略性能を分析して、最良の可能な性能をユーザについて確保することが可能になる。全ての収集データを要約してレポートにすることにより、プラットフォーム性能向上の可能性がある場所がどこであるかを突き止めることができる。接続先のパートナー会社（プロバイダ）は、幾つかの実施形態では、収集データを使用して商品の購入を分析することができる、及び／又は特定の製品を製造の準備を整えることができる。
【００７９】
１つの実施形態では、システムのカスタマイズ製品選択プラットフォームは、分析モジュールにより特徴付けられる。好適な実施形態では、分析モジュールは、１つ以上のユーザ（好適には、複数のユーザ）により選択される所在地、興味、注文、及び／又はカスタマイゼーションが記録され、トレンドがこの記録の中に、好適には、カスタマイズ製造の対象となる特定の製品と特定のユーザプロフィールデータとの相関の形式で特定され、前記情報は、分析ソフトウェアモジュールにより考慮されることを特徴とする。このモジュールは好適には、それぞれのプロフィールに由来するユーザ情報及び製品情報と一緒に機能する。分析モジュールは好適には、カスタマイズ可能な製品の提案をユーザに対して、及び／又は１つ以上のプロバイダに対して収集したデータに基づいて行なうように構成される。モジュールは、製品選択に関する提案を、ユーザ所在地、興味、注文、及び／又は関心の相関、又は身体データのような他のユーザデータの相関に鑑みて行なうことができる。
【００８０】
１つの実施形態では、システムのカスタマイズ製品選択プラットフォームは、予測モジュールにより特徴付けられる。好適な実施形態では、予測モジュールは、１つ以上のユーザ（好適には、複数のユーザ）の所在地、興味、注文、及び／又はカスタマイゼーション選択が記録され、トレンドが、この記録の中に、好適には、カスタマイズ製造の対象となる特定の製品と特定のユーザプロフィールデータとの相関の形式で特定されることを特徴とする。この情報は、予測ソフトウェアモジュールにより考慮され、好ましくは、それぞれのプロフィールに由来するユーザ情報及び製品情報と一緒に考慮され、予測ソフトウェアモジュールは、カスタマイズ可能な製品の提案をユーザに対して、及び／又はプロバイダに対して、変化する注文トレンドに鑑みて行なうことができる。
【００８１】
予測モジュールは、幾つかの実施形態では、製品選択に関する提案を、ユーザ又はプロバイダのいずれかに対して、システム側のトラフィック、及び／又はビッグデータのような他のデータソースのいずれかにより特定される「グローバル」トレンドと比較される場合のユーザ所在地、興味、注文、及び／又は関心、又は身体データのような他のデータの相関に鑑みて行なうように構成することができる。例えば、購入トレンドは、システムの必須機能部分の外部のソースから取得することができ、システム「の内部に供給して」、これからのシステム利用及び製品選択に関する特定の嗜好を示すユーザによるシステム利用の傾向を示すユーザの識別を可能にする。
【００８２】
１つの実施形態では、予測及び／又は分析モジュールは、本明細書において説明されるシステムの必須構成要素の外部のソースに由来するデータを取り込むように構成される、例えば分析モジュールは、お天気サービス、及び／又は天気予報、マーケットトレンド、ショッピング又はスタイルトレンド、及び／又は医療トレンドに由来するスポーツイベント、音楽イベントのようなローカルイベントに関するニュースフィード情報に由来するデータを取り込むことができ、ｔｒｅｎｄ（トレンド）という用語は、１つ以上の個人の特定の行動が変化している、又は変わってきている概略方向として定義され、好適には、このようなトレンドは、複数の個人が、同様の態様で行動していることを表わす。このようなデータは、予測モジュールにより処理することができ、製品提案又は他のシステムパラメータは、ユーザ及び／又はプロバイダに送付することができる。１つの実施形態では、相関は、システム内のユーザ行動と外部データとの間に引くことができ、前記相関をプロバイダに送信して、任意の所定のカスタマイズ可能なウェアラブル製品及び／又は医療用製品の製造の準備を整える。
【００８３】
本発明では、「ｂｉｇ  ｄａｔａ（ビッグデータ）」という用語は、膨大な数の多数の個人又はエンティティから取得されるデータ集合を表わし、データ集合から特定のトレンドを生成することができる。通常、ビッグデータ集合は、非常に大規模であるので、パーソナルコンピュータを利用するアプリケーションのような従来のデータ処理アプリケーションは不充分である。「ｂｉｇ  ｄａｔａ（ビッグデータ）」という用語は、データを取得した取得先の任意の所定のオブジェクト、すなわちシステムのユーザの情報プライバシーに関する潜在的な注意事項を伴う大規模な密集データ集合の分析、捕捉、データキュレーション、検索、共有、記憶、転送、可視化、クエリ処理、更新処理を含む。
【００８４】
ｂｉｇ  ｄａｔａ（ビッグデータ）という用語は、予測分析の使用、又は値、情報、又は他の相関をデータから抽出する所定の他の方法を指すことが好ましい。ビッグデータの精度は、意思決定における確信を強めることができ、より良好な決定により、経営効率の向上、コスト低減、及びリスク低減を図ることができる。大規模データ集合の分析により、スポットビジネストレンド、購入トレンド、スタイルトレンド、及び／又は医療トレンド又は健康トレンドとの新規相関を発見することができる。このようなビッグデータトレンドをユーザプロフィール情報と比較することにより、ユーザに更にフィットする提案が、本システムの状況において可能になるので、ユーザ体験を高めてカスタマイズ最終製品の使用を促進することができる。
【００８５】
コンピュータ実行方法に関連する実施形態
本発明は、好適な実施形態では、コンピュータ実行システムを指す集中型システムとして特徴付けられ、統合集中型ユーザデータベースが設けられ、統合集中型ユーザデータベースに、プロバイダ及びプロバイダの製造機械を接続してカスタマイズ製造を、ユーザデータベース内に含まれる個人化情報に基づいて行なうことができる。集中型システムは更に、複数のブランド企業（プロバイダ）により製造される製品の統合デジタル表現を含む製品データベースを備えることができる。
【００８６】
本発明のシステムは、幾つかの実施形態では、１つ以上の従来のコンピューティング装置を備えることができ、コンピューティング装置は、プロセッサと、キーボード又はマウスのような入力デバイスと、ハードドライブ及び揮発性又は不揮発性メモリのようなメモリと、本発明の機能に用いられるコンピュータコード（ソフトウェア）と、を有する。コンピュータは更に、プログラマブルプリント回路基板、マイクロコントローラ、又はローカルコントローラ、プログラマブルな製造機械、プログラマブルな材料ハンドリング機械、及びロボット操作装置から受信する信号のようなデータ信号を受信して処理する他のデバイスを備えることができる。
【００８７】
システムは、１つ以上の従来のコンピューティング装置を備えることができ、コンピューティング装置には、必要なコンピュータコード又はソフトウェアが事前に読み込まれている、又はシステムは、カスタム設計ハードウェアを備えることができる。システムは、本発明のステップを実行する複数のコンピューティング装置を備えることができる。特定の実施形態では、デスクトップ、ラップトップ、又はタブレットコンピュータのような複数のクライアントをサーバに接続して、例えば複数のユーザが、個人化製品のユーザ注文を同時に入力することができる。コンピュータシステムは、他のコンピュータに、ローカルエリアネットワーク（ＬＡＮ）接続を介して、又はインターネット接続を介してネットワーク接続することもできる。システムは更に、本発明により取得されるデータのコピーを保持するバックアップシステムを備えることができる。ステップｅ）のデータ接続は、任意の適切なデータ伝送手段を介して行なうことができる、又は構成することができ、例えばローカルエリアネットワーク（ＬＡＮ）接続を介して、又はインターネット接続を介して有線又は無線のいずれでも行なうことができる、又は構成することができる。
【００８８】
クライアント又はユーザコンピュータは、クライアント又はユーザコンピュータ独自のプロセッサと、キーボード、マウス、又はタッチスクリーンのような入力手段と、メモリと、を有することができる、又はクライアント又はユーザコンピュータは、ダム端末とすることができ、ダム端末は、ダム端末独自の独立処理能力を持つことがなく、ダム端末の接続先又はネットワーク接続先のサーバのような別のコンピュータの計算リソースを利用する。本発明の特定の実施態様によって異なるが、クライアントシステムは、システムに対する制御を、このような必要が生じる場合に引き受けるために必要なコンピュータコードを含むことができる。１つの実施形態では、クライアントシステムは、タブレット又はラップトップである。例えば、小売店の顧客はタブレットを与えられて、個人化製品の注文を出して個人化製品を可視化することにより、カスタマイズする／製造することができる。タブレット又はラップトップコンピュータは、注文を受け付けて処理することになるサーバと無線通信することができる。
【００８９】
コンピュータシステムの構成要素は従来通りとすることができるが、システムは通常、各特定の実施態様に対応してカスタム構成される。コンピュータシステムは、任意の特定のアーキテクチャで実行することができ、例えばパーソナル／マイクロコンピュータ、ミニコンピュータ、又はメインフレームシステムで実行することができる。好適なオペレーティングシステムは、Ａｐｐｌｅ  Ｍａｃ  ＯＳ  Ｘ、及びｉＯＳ、Ｍｉｃｒｏｓｏｆｔ  Ｗｉｎｄｏｗｓ、及びＵＮＩＸ／Ｌｉｎｕｘ；ＳＰＡＲＣ、ＰＯＷＥＲ、及びＩｔａｎｉｕｍ−ｂａｓｅｄ  ｓｙｓｔｅｍｓ（アイテニアムベースのシステム）；及びｚ／Ａｒｃｈｉｔｅｃｔｕｒｅを含む。本発明を実行するコンピュータコードは、任意のプログラミング言語で、又はモデルベース開発環境で記述することができ、モデルベース開発環境として、これらには限定されないが、Ｃ／Ｃ＋＋、Ｃ＃、Ｏｂｊｅｃｔｉｖｅ−Ｃ、Ｊａｖａ、Ｂａｓｉｃ／ＶｉｓｕａｌＢａｓｉｃ、ＭＡＴＬＡＢ、Ｓｉｍｕｌｉｎｋ、ＳｔａｔｅＦｌｏｗ、Ｌａｂ  Ｖｉｅｗ又はアセンブラーを挙げることができる。コンピュータコードはサブルーチンを含むことができ、サブルーチンは、回路基板、コントローラ、又は本発明に関連して使用される他のコンピュータハードウェアコンポーネントの製造業者に固有の独自のコンピュータ言語で記述される。
【００９０】
本発明の特定の実施形態では、ヒューマンモニタを設けて、スキャンプロセス及び／又は製造プロセスを監視して、どのようなエラー又は故障も解決することができる。しかしながら、自動製造又は半自動製造の好適な実施形態では、モニタは、製造には実質的に関与することがないので、ワークピースを繰り返し移動させる、又は供給する必要がない、又は製造機械を運転する必要がない。
【００９１】
本発明により人体又は人体の一部、もしくは製品のデジタル表現として使用されるデジタル設計パターンは、産業において使用される任意の種類のファイルフォーマットを用いることができる。例えば、製品又はユーザのデジタル表現は、専用フォーマット、ＤＸＦフォーマット、ＸＭＬフォーマット、又は本発明により使用される他のフォーマットで格納することができる。任意の適切なコンピュータ可読媒体を利用してもよい。コンピュータ可用媒体又はコンピュータ可読媒体は、例えばこれらには限定されないが、電子媒体、磁気媒体、光媒体、電磁媒体、赤外線媒体、又は半導体システム、装置、デバイス、又は伝搬媒体とすることができる。コンピュータ可読媒体の更に特定の例（非網羅的なリスト）は：１つ以上のワイヤを有する電気接続、ポータブルコンピュータディスケット、ハードディスク、ランダムアクセスメモリ（ＲＡＭ）、リードオンリメモリ（ＲＯＭ）、消去可能なプログラマブルリードオンリメモリ（ＥＰＲＯＭ又はフラッシュメモリ）、光ファイバ、可搬型のコンパクトディスクリードオンリメモリ（ＣＤ−ＲＯＭ）、光記憶装置、インターネット又はイントラネットをサポートする媒体のような伝送媒体、クラウド記憶装置、又は磁気記憶装置を含む。
【００９２】
本発明は、本発明の実施形態による方法、装置（システム）及びコンピュータプログラム製品のフローチャート図及び／又はブロック図を参照して以下に説明される。フローチャート図及び／又はブロック図の各ブロック、及びフローチャート図及び／又はブロック図のブロックの組み合わせは、コンピュータプログラム命令により、例えばモジュールにより実行することができる。これらのコンピュータプログラム命令を汎用コンピュータ、特殊用途コンピュータ、又は他のプログラマブルデータ処理装置のプロセッサに供給してマシンを生成することにより、コンピュータ又は他のプログラマブルデータ処理装置のプロセッサを介して実行される命令が、フローチャート図及び／又はブロック図のブロック又はブロック群に指定される機能／処理を実行する手段を生成するようになる。
【００９３】
これらのコンピュータプログラム命令は、コンピュータ可読メモリに格納することもでき、コンピュータ可読メモリはコンピュータ又は他のプログラマブルデータ処理装置に指示して特定の態様で機能させて、コンピュータ可読メモリに格納されている命令により、フローチャート図及び／又はブロック図のブロック又はブロック群に指定される機能／処理を実行する命令手段を含む製品を生成させるようにする。
【００９４】
足／靴製造に関連する実施形態：
好適な実施形態では、本発明は、本明細書において説明されるシステム及び方法に関するものであり、前記ウェアラブル製品及び／又は医療用製品は靴である。
【００９５】
好適な実施形態では、本発明は、本明細書において説明されるシステムに関するものであり、ウェアラブル製品及び／又は医療用製品は靴であり、前記システムは：
−１つ以上のユーザの足又は足の一部のデジタル表現を格納して転送するように構成されるスキャンユニットと、
−１つ以上のプロバイダの靴製造ユニットであって、前記靴製造ユニットが、靴又は靴の一部を、前記デジタル表現の幾何学的特徴に従って製造するように構成される、前記靴製造ユニットと、
−カスタマイズ製品選択プラットフォームと、を備え、前記カスタマイズ製品選択プラットフォームは、
ａ）１つ以上のコンピューティング装置と、
ｂ）１つ以上のユーザの足又は足の一部のデジタル表現を含むユーザデータベースと、
ｃ）１つ以上のプロバイダによるカスタマイゼーションの対象となる１つ以上の靴のデジタル表現を含む製品データベースと、
ｄ）前記靴の識別及び選択、並びに任意のカスタマイゼーションを前記製品データベースに基づいて行なって、カスタマイズ製造を１つ以上のユーザの足又は足の一部のデジタル表現に従って行なうように構成されるコンピュータ実行可能ソフトウェアの形態のマッチング及び／又はコンフィギュレータエンジンと、
ｅ）（ｉ）前記スキャンユニットと前記ユーザデータベースとの間のデータ転送、（ｉｉ）前記ユーザデータベースと前記マッチング及び／又はコンフィギュレータエンジンとの間のデータ転送、（ｉｉｉ）前記製品データベースと前記マッチング及び／又はコンフィギュレータエンジンとの間のデータ転送、及び（ｉｖ）前記マッチング及び／又はコンフィギュレータエンジンと前記製造ユニットとの間のデータ転送を可能にするデータ接続と、を備え、
マッチング及び／又はコンフィギュレータエンジンは、１つ以上のユーザの足又は足の一部のデジタル表現の幾何学的特徴と製品データベースに格納されている１つ以上の靴のデジタル表現の比較を行なうように構成される。
【００９６】
１つの実施形態では、本明細書において説明されるシステムは、スキャンユニットが、フットスキャンユニットであり、足の２Ｄ又は３Ｄデジタル表現、特に足又は足の一部の幾何学的特徴を生成するように構成されるフットスキャナを含むことを特徴とする。「ｇｅｏｍｅｔｒｉｃ  ｃｈａｒａｃｔｅｒｉｓｔｉｃｓ  ｏｆ  ａ  ｆｏｏｔ  ｏｒ  ｐａｒｔｓ  ｔｈｅｒｅｏｆ（足又は足の一部の幾何学的特徴）」という用語は、足の２Ｄ又は３Ｄデジタル表現の固有長さに関連し、足圧値、回内運動、回外運動、足の外側輪郭、足の外側境界、足の内側輪郭、足の体重負荷部、足首のサイズ及び／又は長さ、距骨下関節及び中足根関節、前足部の解剖学的変形、例えば「前足部内反」又は「前足部外反」のサイズ及び／又は長さに関連する。足圧値は、ユーザの足のヒール、アーチ、中足骨、及び指骨の下の位置で行なわれる測定により取得することができる。
【００９７】
好適な実施形態では、フットスキャン結果を取得する場合、２Ｄフラットベッドスキャナ又は感圧マットが用いられる。幾つかの実施形態では、米国特許出願公開第２０１１／００９９８４５号明細書に記載されているようなスキャナを用いることができる。
【００９８】
足圧分布測定では通常、センサを利用して、足と地面、又は別の表面との間の接触圧を測定する。足圧分布測定システムの１つの実施形態は、任意のサイズ及び形状の薄いパッドを利用する。１つの実施形態では、パッドは、マトリクス状の小型センサと、カバーと、から成る。別の実施形態では、圧力分布測定パッドは足形をしている。個人がパッドの上に立つと、センサが足下の位置の圧力を測定する。圧力分布測定センサから取得されるデータは、ヒール、アーチ、中足骨、及び指骨の下の圧力を表わす。データを取得し、次に、パッドの内部又は外部に設けることができるメモリストレージユニットに送信する。圧力は、特定の位置における単位面積当たりの力として測定される。データは、パッドに接続される記憶装置に送信される。１つの実施形態では、記憶装置は、小売店の端末コンピュータの内部コンポーネントである。
【００９９】
米国特許出願公開第２００９／０２０８１１３（Ａ１）号明細書に記載されている２Ｄフットスキャンを適用してもよく、例えばユーザの足の外側境界を規定する足の外側輪郭、及び足の体重負荷部を規定する足の内側輪郭を、足のコンピュータ可読画像中に特定する方法を適用してもよい。
【０１００】
足の外側３Ｄ形状を取り出す３Ｄ光スキャナを幾つかの実施形態において用いることができる。幾つかの実施形態では、Ｖｏｒｕｍ社（３Ｄ  Ｐｌａｎｔａｒ  Ｓｃａｎｎｅｒ又はＹｅｔｉスキャナ）又はＨｕｍａｎ  Ｓｏｌｕｔｉｏｎｓ社（ＦｏｏｔＩｎ３ｄ）から入手可能なスキャナのようなスキャナを用いてもよい。例えば、ＦｏｏｔＩｎ３ｄは、ヒトの足を、１８０ｍｍの高さ、１８０ｍｍの幅、及び４００ｍｍの奥行きの測定範囲で、約５〜１５秒のスキャン時間で基本的に厳密に３次元撮像するような高精度の測定を可能にする。測定原理は、光三角測量（眼に安全なレーザ技術）に関連し、以下のエクスポートフォーマット：ＸＭＬ、ＣＳＶ、ＯＢＪ、ＳＴＬを可能にし、８個のレーザーセンサーヘッド、３５ポイント／ｃｍ２の点密度、＜１ｍｍの許容誤差、フロアスペース要件：約１ｍ２、合計重量：約３０ｋｇ、身体部位寸法の関係分析用のＡｎｔｈｒｏｓｃａｎとの直接的な統合を可能にする。
【０１０１】
１つの実施形態では、ユーザの歩行運動又はランニング運動の動的表現を測定して記録するデバイスを本発明のシステムに組み込むことができ、前記歩行運動又はランニング運動は、回内運動及び／又は回外運動に関連する。このようなデバイスの１つの例が、米国特許出願公開第２００７／００３９２０５号明細書に記載されているスキャニング装置に関連する。好適には、ユーザの足の静的測定及び動的測定の両方を行なうように設計されるスキャナを組み込んだスキャナを適用することができる。例えば、座席を据えて、顧客が顧客の足を、荷重が掛かっていないリラックスした状態で足測定装置の上に載せることができるようにする。次に、静的体重負荷測定を、顧客が測定装置の上に立っている状態で行なうことができる。動的測定は、顧客が、駅構内を一方向に歩きながら彼又は彼女の左足を装置に載せ、次に駅構内を逆方向に歩きながら彼又は彼女の右足を装置に載せることにより行なうことができる。
【０１０２】
「回内運動」及び「回外運動」と呼ばれる複雑な運動は、足首、距骨下関節及び横足根関節に関わる運動を含む。回内運動は、背屈、外転、及び回外を含み；回外運動は、足底屈、内転、及び回内を含む。回内運動中では、背屈が足首関節で顕著であり、回外が距骨下関節で顕著であり、外転が前足部又は指骨で顕著であり；回外運動中では、足底屈が足首関節で顕著であり、回内が距骨下関節で顕著であり、内転が前足部で顕著である。多くの個人が、前足部の特定の解剖学的変形を持っている。「前足部内反」又は「前足部外反」と呼ばれるこれらの変形の２種類の変形の影響は、歩行中又はランニング中の足位置に現われる（すなわち、歩行周期中に現われる）。したがって、本発明は、靴を、このような状態に鑑みて調整して快適感及び健康をユーザにもたらすことができる。製造方法は当業者に公知である。
【０１０３】
米国特許出願公開第２００７／００３９２０５号明細書に記載されているこのような測定装置は好ましくは、複数の静電圧センサを備える発泡マットに関連しており、静電圧センサにより、足の３Ｄ形状のデジタル化が可能になる。このようなマットを用いる場合、発泡体が顧客の足底部の凹凸に忠実に追従して、顧客の足の実際の３次元測定を行なう。このような発泡マットを使用して、運動、速度、質量、及び３ｄ表面特徴を評価することにより顧客は、特定の履物構成部材を本発明の実施形態に従って選択することができる。
【０１０４】
更に別の好適な実施形態では、本発明のスキャニング装置は、ユーザの体重、身体の揺れ、四肢の長さの不一致、歩行周期運動、静的な２Ｄ及び３Ｄ撮像、動的な２Ｄ及び３Ｄ撮像、回内運動及び回外運動、及び体重移動に関するデータを取得することができる。
【０１０５】
１つの実施形態では、ユーザの歩行運動又はランニング運動の動的表現を測定して記録するデバイスを本発明のシステムに組み込むことができ、前記歩行運動又はランニング運動は好ましくは、回内運動及び／又は回外運動に関連しており、前記イベントは、足底圧測定センサ装置により検出される。市販の足底圧計測技法は、Ｎｏｖｅｌ  Ｅｌｅｃｔｒｏｎｉｃｓ社製のＥｍｅｄ  Ｓｅｎｓｏｒ  Ｐｌａｔｆｏｒｍ及びＰｅｄａｒ  Ｉｎｓｏｌｅ  Ｓｙｓｔｅｍ；Ｔｅｋｓｃａｎ社製のＦ−Ｓｃａｎ  Ｓｙｓｔｅｍ；及びＷＭ  Ａｕｔｏｍａｔｉｏｎ  ａｎｄ  Ｐｒｅｓｔｏｎ  Ｃｏｍｍｕｎｉｃａｔｉｏｎ社製のＭｕｓｇｒａｖｅ  Ｆｏｏｔｐｒｉｎｔ  Ｓｙｓｔｅｍを含む。これらの技法では、細かく散りばめてマトリクス配列したセンサが、足がセンサに接触するときの圧力を測定することにより、ランニングしている、又は歩いている状態で、ユーザの足の動的特徴のデジタル表現を可能にする。
【０１０６】
更に別の実施形態では、ベルギーにあるＲＳｓｃａｎ  Ｉｎｔｅｒｎａｔｉｏｎａｌ  ＮＶ社製のスキャニング製品を用いることができる。例えば、フルフット３ｄスキャナ  （Ｔｉｇｅｒ  ３Ｄスキャナ）を使用して、足首までのユーザの足の細部３Ｄスキャンを行なって、足の形状及びフォームに分析を加えることができる。このようなスキャナは、足のアーチ高、アーチ長、及びアーチ幅の自動計算を含む足の３Ｄ可視化を可能にする。更に別の適切なデバイスが、ｆｏｏｔｓｃａｎ（登録商標）システム及び関連ソフトウェアである。これらのスキャナなどにより取得される足の更に別の幾何学的特徴は、静的測定値、歩行の２方向について考えられる動的測定値、圧力分布の動的測定値、負荷量の動的測定値、足跡サイズ、自動リスク分析（及び、任意であるが、対応するインソール推奨）、歩行比グラフ、足運動基準、足角度分析、外転角度、距骨下関節柔軟性、一歩足を踏み出すタイミング、何回も足を踏み出すタイミング（踏み出し長さ、ストライド長、速度）に関連し、足長、足幅、アーチ高、アーチ長、及び／又はアーチ周辺部の３Ｄ測定値に関連する。
【０１０７】
１つの実施形態では、本発明のシステムは、足のデジタル表現が、足長、足幅、足圧の２Ｄ又は３Ｄ分布、及び／又は足の３Ｄデジタルモデルのような足の外側３Ｄ形状、及び／又は回内運動及び／又は回外運動のようなユーザの歩行挙動又はランニング挙動の動的表現に関する情報を含む１つ以上のデータファイルを含む、又は１つ以上のデータファイルからなることを特徴とする。この情報は、「ｇｅｏｍｅｔｒｉｃ  ｃｈａｒａｃｔｅｒｉｓｔｉｃｓ  ｏｆ  ａ  ｆｏｏｔ  ｏｒ  ｐａｒｔｓ  ｔｈｅｒｅｏｆ（足又は足の一部の幾何学的特徴）」と表記することもできる。このようなデータの生成及び表現は、当業者が想到し得る。
【０１０８】
幾何学的特徴の様々なデジタル表現がこの技術分野において記述される。例えば、デジタル表現は、専用フォーマット、ＤＸＦフォーマット、ＸＭＬフォーマット、又はＪＰＥＧ、ＢＭＰ、ＴＩＦフォーマット、又は好ましくは、ユーザの身体に関する２Ｄ又は３Ｄ情報を格納するために適するフォーマットで格納することができる。好適な実施形態では、スキャンデータは、ユーザの身体又は身体の一部の分析を、取得される３Ｄデータの断面、スライスエリア、表面エリア、及び／又は体積の表現及び／又は分析により可能にする。具体的には、分析は、ユーザの足又は足の一部の幾何学的特徴を考慮に入れることにより行なうことができる。
【０１０９】
データエクスポートにより、２Ｄ又は３Ｄデータを他の設計及び／又は製造ソフトウェアに使用する機会が与えられる。したがって、データは、例えばドイツにあるＤｅｓｍａ  Ｓｃｈｕｈｍａｓｃｈｉｎｅｎ  ＧｍｂＨ社製の製造ユニットのようなカスタマイズ製造ユニットに取り込むことができ、好適にはユーザの足の正確な形状及び他の特徴、好適にはユーザの足の幾何学的特徴に従って構成可能な靴製造自動機に取り込むことができる。靴のカスタマイズ製造の例が以下に、例えば図５〜図８において提供され、この例は、好適な実施形態では、靴底又はインソールの「ｍｕｌｔｉ−ｚｏｎｅ（マルチゾーン熱管理による）」射出成形に関するものである。
【０１１０】
１つの実施形態では、本発明のシステムは、データ通信処理システムが更に、靴データベースを備え、前記靴データベースが、１つ以上のプロバイダによるカスタマイゼーションの対象となる１つ以上の靴モデルの電子表現を含むことを特徴とする。好適には、マッチング及び／又はコンフィギュレータエンジンは更に、靴の仮想識別、カスタマイゼーション、及び／又は選択を前記靴データベースに基づいて行なってカスタマイゼーションを、１つ以上のユーザの足のデジタル表現に従って行なうように構成されるコンピュータ実行可能ソフトウェア（モジュール）の形態で設けられる。具体的には、マッチング及び／又はコンフィギュレータエンジンは、足又は足の一部の幾何学的特徴と製品データベースに格納されている１つ以上の靴のデジタル表現を比較するように構成される。
【０１１１】
本発明の更に別の態様は、靴の選択を行なってカスタマイズ製造を行なうコンピュータ実行方法に関するものであり、コンピュータ実行方法は、
−コンピューティング装置の形態のスキャンユニットにおいて行なわれる１つ以上のユーザの足又は足の一部のデジタル表現の幾何学的特徴を供給することを含み、前記装置は前記表現を格納して送信するように構成され、
−足又は足の一部の前記デジタル表現の幾何学的特徴を、カスタマイズ製品選択プラットフォームで構成されるユーザデータベースに送信することを含み、前記プラットフォームは、
ａ）１つ以上のコンピューティング装置と、
ｂ）１つ以上のユーザの足又は足の一部のデジタル表現の幾何学的特徴を含むユーザデータベースと、
ｃ）１つ以上のプロバイダによるカスタマイゼーションの対象となる１つ以上の靴のデジタル表現を含む製品データベースと、
ｄ）靴の識別及び選択、並びに任意のカスタマイゼーションを前記製品データベースに基づいて行なって、カスタマイズ製造を１つ以上のユーザの足又は足の一部のデジタル表現の幾何学的特徴に従って行なうように構成されるコンピュータ実行可能ソフトウェアの形態のマッチング及び／又はコンフィギュレータエンジンと、
ｅ）（ｉ）前記スキャンユニットと前記ユーザデータベースとの間のデータ転送、（ｉｉ）前記ユーザデータベースと前記マッチング及び／又はコンフィギュレータエンジンとの間のデータ転送、（ｉｉｉ）前記製品データベースと前記マッチング及び／又はコンフィギュレータエンジンとの間のデータ転送、及び（ｉｖ）前記マッチング及び／又はコンフィギュレータエンジンと前記製造ユニットとの間のデータ転送を可能にするデータ接続と、を備え、
−製品選択を前記プラットフォームから１つ以上のプロバイダの製造ユニットに送信することを含み、前記製造ユニットは、靴をユーザの足又は足の一部のデジタル表現の幾何学的特徴に従って製造するように構成され、
マッチング及び／又はコンフィギュレータエンジンは、１つ以上のユーザの足又は足の一部のデジタル表現の幾何学的特徴と製品データベースに格納されている１つ以上の靴のデジタル表現の比較を行なうように構成される。
【０１１２】
好適な実施形態では、本明細書において説明される靴のカスタマイズ製造を行なう方法は、ユーザの足のデジタル表現を、２Ｄフラットベッドスキャナ又は感圧マットもしくは足の外側３Ｄ形状を取り出す３Ｄ光スキャナのような、足の２Ｄ又は３Ｄデジタル表現を生成するように構成されるフットスキャナを使用して生成することを含む。具体的には、靴のカスタマイズ製造を行なう方法は、ユーザの足のデジタル表現の幾何学的特徴を、足の２Ｄ又は３Ｄデジタル表現の幾何学的特徴を生成するように構成されるフットスキャナを使用して生成することを含む。
【０１１３】
本発明は更に、靴のカスタマイズ製造を行なう方法に関するものであり、データ通信処理システムは更に、靴データベースを備え、前記靴データベースは、１つ以上のプロバイダ、及びコンピュータ実行可能ソフトウェア（モジュール）の形態のマッチング及び／又はコンフィギュレータエンジンによるカスタマイゼーションの対象となる１つ以上の靴モデルの電子表現を含み、ユーザは、靴を前記データベースに基づいて識別し、カスタマイズし、及び／又は選択して、カスタマイゼーションを１つ以上のユーザの足のデジタル表現の幾何学的特徴に従って行なう。
【０１１４】
好適な実施形態では、本明細書において説明される靴のカスタマイズ製造を行なうシステム又は方法は、靴又は靴の一部を前記デジタル表現の幾何学的特徴に従って製造することを含む。
【０１１５】
本明細書において開示される射出法／成形法／鋳込み法の他に、靴又は靴の一部を、足又は足の一部のデジタル表現の幾何学的特徴に従って製造するために適する様々な方法を当業者であれば利用することができる。例えば、ドイツのＤｅｓｍａ  Ｓｃｈｕｈｍａｓｃｈｉｎｅｎ  ＧｍｂＨ社は、ユーザの足の正確な形状、及び他の特徴、好適には、ユーザの足の幾何学的特徴に従って構成可能な靴製造自動機を供給するので好ましい。
【０１１６】
靴底は、もはや、合成樹脂材料から形成される単色の物体又は単一属性の物体であるとは考えられない。美的変化及び技術変化の両方が、様々な硬度領域又はカラーを有する靴底又はインソールの製造方法をもたらしている。更に、耐摩耗性、表面平滑性、又は化学的耐久性のような特性には、以下の方法で対処することができる。
【０１１７】
好適な実施形態では、本明細書において説明される靴のカスタマイズ製造を行なう方法又はシステムは、靴製造ユニットが、靴、靴底、及び／又は靴インソールの製造を行なう射出装置、成形装置、及び／又は鋳込み装置を備えることを特徴とする。
【０１１８】
好適な実施形態では、本明細書において説明される靴のカスタマイズ製造を行なう方法又はシステムは、射出装置、成形装置、及び／又は鋳込み装置が、複数種類の熱硬化性合成樹脂材料及び／又は熱可塑性合成樹脂材料（重合性及び／又は発泡性とすることができるベース材料及び添加剤のような）を混合することができ、前記材料を靴底又はインソールの形状のキャビティの内部に流し込むことができるミキシングヘッドを備え、これにより、前記靴底又はインソールは、特定の物理特性を、ユーザの足の前記デジタル表現、特にユーザの足の前記デジタル表現の幾何学的特徴に従って有する異なる材料及び／又は材料の混合物を含む複数のエリアを含むことを特徴とする。
【０１１９】
別の表現をすると、本発明の好適な実施形態では、靴底又はインソールは、特定の物理特性を、ユーザの足の前記デジタル表現の幾何学的特徴に従って有する異なる材料及び／又は材料の混合物を含む複数のエリアを含む。鋳型又は成形鋳型は、特定の形状を射出材料に付与するように構成されることが更に好ましい。
【０１２０】
本発明の好適な実施形態では、靴底又は靴インソール（ｓｈｏｅ  ｓｏｌｅ（靴底）は、本明細書では、単一用語「ｓｏｌｅｓ」により記述される）のような靴の構成部材は、ユーザの足又は足の一部の前記デジタル表現の幾何学的特徴に従って、本明細書において説明される方法に従って製造することができる。
【０１２１】
例えば、靴底は、複数の部分、例えば３つの部分に、具体的にはヒール部分、中足部分、及び足先部分又はつま先部分に分割することができる。これらの様々な部分は、様々なカラー又は密度で形成されて、靴底をカスタマイズすることができる。
【０１２２】
１つの実施形態では、様々な合成樹脂材料又は添加剤、熱硬化性合成樹脂材料、及び／又は熱可塑性合成樹脂材料（重合性及び／又は発泡性とすることができるベース材料及び添加剤のような）を含む異なる材料を特定の順序でミキシングヘッドを介して流し込む、及び／又は射出することにより、様々な材料又は材料の混合物を異なる部分に射出することができる。複数種類の材料は、ミキシングヘッドに供給することができ、ミキシングヘッドでは、これらの材料が引き続き混合されて均一な、又は半均一な溶液を、溶液が靴底の鋳型キャビティに整然と射出される、又は流し込まれる前に供給する。任意であるが、鋳型又は成形鋳型を射出材料に適用して特定の形状を付与するようにしてもよい。
【０１２３】
この技法は、射出法又は鋳込み法のいずれかとして利用可能である。例えば、ミキシングヘッドは、靴底鋳型に対して水平姿勢に配置することができ、靴底鋳型に、合成樹脂材料を射出する、又は流し込む。
【０１２４】
鋳込み法では、ミキシングヘッドは、靴底の鋳型の開口キャビティの上に、垂直姿勢に位置決めされ、キャビティの上の特定の経路又は原型に導入されて、各部分に向かう様々な合成樹脂材料を靴底の鋳型に流し込むことができる。
【０１２５】
このような方法により、靴底を、個々の部分が、製造に使用される合成樹脂材料に依存する異なるカラー、材料密度、摩耗性、硬度、可撓性を持つように製造することができる。
【０１２６】
靴底製造法に用いられる好適な合成樹脂材料はポリウレタンである。本発明は、任意であるが添加剤を含むポリウレタン製造用液体材料を混合し、次に靴底の異なる領域に射出する及び／又は流し込む技法を取り入れる。本明細書において提供される図５及び図６は、ポリウレタンが好適な合成樹脂材料として使用されるミキシングヘッドを明示しており、任意の熱硬化性樹脂材料又はエラストマーを使用することができ、最も好ましくは、ポリウレタン、ＴＰＵ、及びゴムを使用することができる。固体ポリウレタン及び／又は発泡ポリウレタンの両方を用いてもよい。両方のオプションを使用して、本発明によるカスタムメイド靴底の製造を、添加剤をマルチゾーンシューソールに射出する方法、及び／又は流し込む方法を使用することにより行なうことができる。
【０１２７】
したがって、好適な材料は、熱硬化性合成樹脂材料又はエラストマー系合成樹脂材料に関連し、熱硬化性合成樹脂材料又はエラストマー系合成樹脂材料として、これらには限定されないが、固体ポリウレタン又は発泡ポリウレタン、熱可塑性ゴムと表記される場合がある熱可塑性エラストマー（ＴＰＥ）を挙げることができ、熱可塑性ポリウレタン（ＴＰＵ）、熱可塑性コポリエステル、又は熱可塑性ポリアミドを挙げることができる。
【０１２８】
このような靴底を製造するために、広く利用可能なミキシングヘッドを適用することができ、ミキシングヘッドは、回転押出機スクリューを付設して組み立てることができ、これにより、押出機スクリューは、合成樹脂材料を靴底鋳型キャビティに射出するときの射出元の、及び／又は流し込むときの流し込み元のノズルで終端する。合成樹脂材料は、スクリューに任意の所定の添加剤と一緒に投入することができ、混合し、次にキャビティ内に押し出すことができる。様々な流路を設けて、複数種類の、場合によっては異なる合成樹脂材料を様々な添加剤と一緒に、又は添加剤を用いることなく、押出機スクリューに複数のバルブを介して導入することができる。様々なバルブをミキシングヘッドに適切な制御プログラムで取り付けることができるので、いずれの材料をいずれの靴底部分に射出する、及び／又は流し込むかを正確に制御することができる。ソフトウェアは、バルブを制御して、様々な合成樹脂材料に対応するどのバルブ開口を押出機に向けるかを制御することができる。
【０１２９】
靴底鋳型キャビティは、２つの成形面部材及び１つの打ち抜き部材から事前に作製されていることが好ましく、これにより、充填前に又は射出前に、かつ打ち抜き部材又はベース部材を使用してキャビティ容積を圧縮して材料を適切な鋳型に押し込む前に、これらの面部材を互いに取り付けることができる。例えば、キャビティは、靴アッパーを使用して、又は靴アッパーに取り囲まれる足モデルを使用して上方から閉じることができる。キャビティは、靴底の下のベース部材で下方から閉じることができる。好適な実施形態では、靴アッパーは、合成樹脂靴底を射出成形した後に、及び／又は鋳込み成形した後に、靴アッパーに取り囲まれる打ち抜き部材を靴底鋳型キャビティに押し込むことにより靴底に結合させることができる。
【０１３０】
好適な実施形態では、可動ラック又は可動装置が各添加剤又は各合成樹脂材料に対応して想定される。これらのラック又は装置の各々は、ポンプと、ガスタンクと、様々な樹脂材料をミキシングヘッドのバルブに注入するコンピュータコントローラと、を備えることが好ましい。このようなラック又は装置は、車輪に位置決め状態で取り付けられ、効率的な製造を可能にするために適切に位置決め状態で取り付けられる。
【０１３１】
様々な合成樹脂材料を、靴底内のミキシングヘッドの精密構造部及び機能部のスクリュー部材に正確かつ迅速に注入することが可能になることにより、例えば靴底部分間の厳密かつ明確な分離が実現されて靴底を、ユーザの足のデジタル表現に従って、特にユーザの足のデジタル表現の幾何学的特徴に従って製造することができる。
【０１３２】
ウェアラブル製品及び／又は医療用製品に用いられる全身スキャンに関連する実施形態：
本発明の１つの実施形態では、スキャンユニットは、ユーザの身体の外側３Ｄ形状を取り出す３Ｄ光スキャナのような、ユーザのほぼ全身の２Ｄ又は３Ｄデジタル表現を生成するように構成されるボディスキャンユニットである。
【０１３３】
現在、人体のアバターの略全体を撮影し、正確な人体測定値を抽出し、当該データをセキュアに格納及び収集して処理することにより、データをコンピュータプロセッサ内でインターネットを経由して伝達する複数のシステムが利用可能である。複数の既存のボディスキャニングシステムがある。例えば、Ｈｕｍａｎ  Ｓｏｌｕｔｉｏｎｓ社製のＴＣ−２（ＮＸ−１６及びＫＸ−１６）、Ｖｉｔｕｓ（Ｓｍａｒｔ  ＸＸＬ）、Ｓｔｙｋｕ（ＭｅａｓｕｒｅＭｅ）、ＢｏｄｙＭｅｔｒｉｃｓ、及びＭｅ−Ａｌｉｔｙが、本発明において適用されるために適する既存のボディスキャニングシステムの例である。これらのシステムは主として、ボディスキャナに関連し、ユーザが、背中を伸ばした姿勢でじっとして立ち、システムが次に、身体の凹凸量の分布を、奥行きセンサ、白色ライトプロジェクタ、及びカメラ又はレーザを利用して生成する。次に、これらのシステムは、これらの身体の凹凸量の分布（アバター）を使用して、ユーザに関する測定値を抽出する。
【０１３４】
別のボディスキャニング測定システムは、１つ以上のボディスキャナを含む、身体測定データを捕捉して処理するシステム及び方法のように、本発明において適用されるために適しており、各ボディスキャナは、ユーザの複数の奥行き画像を、例えば米国特許出願公開第２０１４／０３４０４７９号明細書に記載の通りに撮影するように構成される。更に、スキャニング技法が、Ｃｏｒｎｅｌｌ  Ｕｎｉｖｅｒｓｉｔｙ（コーネル大学）の３Ｄ  Ｂｏｄｙ  Ｓｃａｎｎｅｒプロジェクト（Ａｓｈｄｏｗｎ，Ｌｏｋｅｒ，Ｍｅｔｅ）により記述されている。
【０１３５】
好適な実施形態では、ソフトウェアアプリケーションが、人体スキャンデータを、本発明に適する複数のフォーマットで、例えばポイント、三角形ワイヤーフレーム、サーフェスレンダリングを含むワイヤーフレーム、又は単にスムーズサーフェスとして含むワイヤーフレームを使用して収集、生成、及び／又は表示することができる。このソフトウェアの一例が、Ｃｏｒｎｅｌｌ  Ｕｎｉｖｅｒｓｉｔｙ（コーネル大学）の３Ｄ  Ｂｏｄｙ  Ｓｃａｎｎｅｒプロジェクトが記述するＰｏｌｙｗｏｒｋｓソフトウェアである。更に、スライスは、いずれの向きでも取得することができるので、人体の異なる部位の周辺の測定が可能になり、異なる部位の断面を観察することができる。人体が同様の周辺測定点を含んでいる場合でも、形状の変化を考慮に入れて衣服にフィットさせることができる。
【０１３６】
更に適用することができるのが、Ｈｕｍａｎ  Ｓｏｌｕｔｉｏｎｓ社により記述されるシステム（全身スキャンに用いられるＤＩＴＵＳ  ＭＣ、眼鏡、帽子、又はヘルメットの設計に適するヘッドスキャンに用いられるＶＩＴＵＳ  ＡＨＥＡＤ、フットスキャンに用いられるＦＯＯＴＩＮ  ３Ｄ）である、又は３Ｄボディサーフェスの３Ｄ形状及びサイズ測定を行なう方法であり、この方法は、米国特許第６９６８０７５号明細書に記載されている３Ｄスキャナを提供することを含む。
【０１３７】
例えば、Ｈｕｍａｎ  Ｓｏｌｕｔｉｏｎｓ社製のＤＩＴＵＳ  ＭＣは、人体の測定値の正確な採取、及び３次元撮像、スキャン時間が短く、結果が瞬時に出ることによる顧客の快適感の高揚、重量が軽く、組み立てが容易であることによる高度の可搬性、５０箇所の寸法の瞬時の捕捉、測定時間長：光三角測量法及び１２個の複数のセンサ（Ｘｔｉｏｎ  ＰＲＯ  ＬＩＶＥ）による赤外線撮像の測定原理を利用して得られる１秒未満、スキャニング容量：２１００ｍｍ（Ｈ）、９００ｍｍ（Ｌ）、９００ｍｍ（Ｂ）、奥行き解像度：５ｍｍ（代表値）、スキャナ寸法（組み立て後）：１８５０ｍｍ（Ｈ）、２２００ｍｍ（Ｌ）、２４００ｍｍ（Ｂ）、合計重量：３０ｋｇ、及びＰＬＹ、ＯＢＪ、ＳＴＬ、ＡＳＣＩＩ、ＤＸＦのエクスポートフォーマットを可能にする。
【０１３８】
フルボディスキャニングに関連する実施形態は、スキャンデータに従ってアパレルの製造を行なう好適な実施形態において適用することができる。スキャンデータは、身体又は身体の一部のデジタル表現の幾何学的特徴を含むことが好ましい。１つの実施形態では、本明細書において説明されるシステムが提供され、非限定的な例として、製造ユニットは、米国特許第５９５６５２５号明細書に記載されている機械の動作を制御する入力であった身体測定値を持つ顧客向けの衣服のカスタムフィット製品の製造に関与する裁断、縫製、及び他の作業に用いられるコンピュータ制御機械である。
【０１３９】
頭部に関連する実施形態：
好適な実施形態では、本発明は、本明細書において説明されるシステムに関するものであり、前記ウェアラブル製品及び／又は医療用製品はユーザ頭部に合わせてカスタマイズされる。
【０１４０】
好適な実施形態では、本発明は、帽子、ヘルメット、又は他のヘッドギアのカスタマイズ製造を行なうシステムに関するものであり、システムは：
−１つ以上のユーザの頭部又は頭部の一部のデジタル表現を格納して転送するように構成されるスキャンユニットと、
−１つ以上のプロバイダの帽子、ヘルメット、又は他のヘッドギアの製造ユニットであって、前記製造ユニットが、帽子、ヘルメット、又は他のヘッドギア、もしくは帽子、ヘルメット、又は他のヘッドギアの一部を、前記デジタル表現の幾何学的特徴に従って製造するように構成される、前記製造ユニットと、
−カスタマイズ製品選択プラットフォームと、を備え、カスタマイズ製品選択プラットフォームは、
ａ）１つ以上のコンピューティング装置と、
ｂ）１つ以上のユーザの頭部又は頭部の一部のデジタル表現を含むユーザデータベースと、
ｃ）１つ以上のプロバイダによるカスタマイゼーションの対象となる１つ以上の製品のデジタル表現を含む製品データベースと、
ｄ）前記製品の識別及び選択、並びに任意のカスタマイゼーションを前記製品データベースに基づいて行なって、カスタマイズ製造を１つ以上のユーザの頭部又は頭部の一部のデジタル表現に従って行なうように構成されるコンピュータ実行可能ソフトウェアの形態のマッチング及び／又はコンフィギュレータエンジンと、
ｅ）（ｉ）前記スキャンユニットと前記ユーザデータベースとの間のデータ転送、（ｉｉ）前記ユーザデータベースと前記マッチング及び／又はコンフィギュレータエンジンとの間のデータ転送、（ｉｉｉ）前記製品データベースと前記マッチング及び／又はコンフィギュレータエンジンとの間のデータ転送、及び（ｉｖ）前記マッチング及び／又はコンフィギュレータエンジンと前記製造ユニットとの間のデータ転送を可能にするデータ接続と、を備え、
マッチング及び／又はコンフィギュレータエンジンは、１つ以上のユーザの頭部又は頭部の一部のデジタル表現の幾何学的特徴と製品データベースに格納されている１つ以上の製品のデジタル表現の比較を行なうように構成される。
【０１４１】
ヘッドスキャニング装置は当業者に公知である。
【０１４２】
１つの実施形態では、本明細書において説明されるシステムは、スキャンユニットが、ユーザの頭部の外側３Ｄ形状を取り出す３Ｄ光スキャナのような、ユーザの頭部の２Ｄ又は３Ｄデジタル表現を生成するように構成されるヘッドスキャンユニットであることを特徴とする。１つの実施形態では、本明細書において説明されるシステムは、スキャンユニットが、頭部の２Ｄ又は３Ｄデジタル表現を生成するように構成されるスキャニング装置を備えることを特徴とする。
【０１４３】
したがって、本発明は、製品をユーザの頭部に従ってカスタマイズする、本明細書において説明されるシステムに関するものであり、非限定的な例として、スキャンユニットは、国際公開第１９９７／０４０７１６号パンフレットに記載されている頭部形状の読み取りを行なう３Ｄ光スキャナである。この実施態様では、着用者の頭部の形状の記述は、接触無しの状態のデジタル読取値であり、例えばレーザビーム平面により形成される３Ｄスキャナスキャニングプロフィールから得られる２次元デジタル読取値である。別の構成として、米国特許出願公開第２００６／０１０１５５９号明細書は、頭部形状の表面分布のコンピュータ可読データファイルを生成する（すなわち、頭部形状をデジタル化する）適切なスキャニング機器について記載している。次に、このデータファイルを使用して、ＣＮＣ機械又は他のコンピュータ制御粉砕装置又は工具に指示して、既製のエネルギー吸収ライナー「ｂｌａｎｋ（ブランク）」を機械加工することにより、着用者の頭部にぴったり合う凹凸を有する装置又は工具の内側表面を実現する。以下に更に説明される更に別の実施形態では、スキャニング機器は、着用者の頭部を直接スキャンして、カスタムフィットライナーの製造を行なうためのコンピュータ可読データを生成することができる。
【０１４４】
カスタマイズハット、ヘルメット、又は他のヘッドギアを製造する製造ユニットは当業者に公知である。
【０１４５】
したがって、本発明は、製品をユーザの頭部に従ってカスタマイズする、本明細書において説明されるシステムに関するものであり、非限定的な例として、製造ユニットは、国際公開第１９９７／０４０７１６号パンフレットに記載されているヘルメットに用いられるカスタムライナーを製造する数値制御機械である。ライナーは、発泡体ブロックから切断により、上記数値制御機械オペレータスキャニングを使用して作製することもでき、次に快適なジャケット服を作製して、仕上げを行なう。製造後、カスタムライナーが標準ヘルメットに装着される。このようなヘルメット製造方法により、一体化された視認ヘルメット適応支持金具を、機械的視認調整を追加することなく実現できる。時間及び空間で、一方における尖った頭部の形状、及び他方におけるカスタムライナーの形態を構成した実施形態の２つの主要なステップに分離することが可能になる。米国特許出願公開第２００６／０１０１５５９号明細書は、カスタムフィットヘルメットを、顧客の頭部のコンピュータ可読スキャニングデータに基づいて作製する方法の別の非限定的な例を提供している。
【０１４６】
耳／補聴器に関連する実施形態：
好適な実施形態では、本発明は、本明細書において説明されるシステムに関するものであり、前記ウェアラブル製品及び／又は医療用製品はユーザの耳（両耳）に合わせてカスタマイズされる。
【０１４７】
好適な実施形態では、本発明は、補聴器、耳栓、又は他の耳型又は耳関連製品のカスタマイズ製造を行なうシステムに関するものであり、システムは：
−１つ以上のユーザの耳又は耳の一部のデジタル表現を格納して転送するように構成されるスキャンユニットと、
−１つ以上のプロバイダの補聴器又は耳栓の製造ユニットであって、前記製造ユニットが、補聴器、耳栓、又は他の耳型又は耳関連製品、もしくは補聴器、耳栓、又は他の耳型又は耳関連製品の一部を、前記デジタル表現の幾何学的特徴に従って製造するように構成される、前記製造ユニットと、
−カスタマイズ製品選択プラットフォームと、を備え、カスタマイズ製品選択プラットフォームは、
ａ）１つ以上のコンピューティング装置と、
ｂ）１つ以上のユーザの耳又は耳の一部のデジタル表現を含むユーザデータベースと、
ｃ）１つ以上のプロバイダによるカスタマイゼーションの対象となる１つ以上の製品のデジタル表現を含む製品データベースと、
ｄ）前記製品の識別及び選択、並びに任意のカスタマイゼーションを前記製品データベースに基づいて行なって、カスタマイズ製造を１つ以上のユーザの耳又は耳の一部のデジタル表現に従って行なうように構成されるコンピュータ実行可能ソフトウェアの形態のマッチング及び／又はコンフィギュレータエンジンと、
ｅ）（ｉ）前記スキャンユニットと前記ユーザデータベースとの間のデータ転送、（ｉｉ）前記ユーザデータベースと前記マッチング及び／又はコンフィギュレータエンジンとの間のデータ転送、（ｉｉｉ）前記製品データベースと前記マッチング及び／又はコンフィギュレータエンジンとの間のデータ転送、及び（ｉｖ）前記マッチング及び／又はコンフィギュレータエンジンと前記製造ユニットとの間のデータ転送を可能にするデータ接続と、を備え、
マッチング及び／又はコンフィギュレータエンジンは、１つ以上のユーザの耳又は耳の一部のデジタル表現の幾何学的特徴と製品データベースに格納されている１つ以上の製品のデジタル表現の比較を行なうように構成される。
【０１４８】
耳スキャニング装置は当業者に公知である。
【０１４９】
したがって、本発明は、製品をユーザの耳（両耳）に従ってカスタマイズする、本明細書において説明されるシステムに関するものであり、非限定的な例として、スキャンユニットは、外耳道の３次元表現を生成する耳スキャンユニットである。このような装置は、例えば光干渉断層撮影（ＯＣＴ）を使用する米国特許出願公開第２００７／０１２７７５６号明細書に記載されている。外耳道の断面画像は、例えばＯＣＴ撮像センサを複数位置の各位置の所定の軸線回りに回転させることにより撮影される。別の実施形態によれば、凹凸線を次に、これらの断面画像の各断面画像中に特定し、フローアルゴリズムを使用して外耳道断面の境界を特定する。一旦、各断面の境界が特定されると、これらの断面画像の全てを合成して外耳道の３次元画像を生成する。米国特許出願公開第２００５／００８８４３５号明細書は、非限定的な例として、小型の３Ｄカメラハードウェア構造を提供して画像取得を行ない、ソフトウェアアルゴリズムを提供して内耳又は外耳道のデジタルモデルを計算することについて記載している。
【０１５０】
カスタマイズ補聴器、耳栓、又は他の耳型もしくは耳関連製品を製造する製造ユニットは当業者に公知である。
【０１５１】
したがって、本発明は、製品をユーザの耳（両耳）に従ってカスタマイズする、本明細書において説明されるシステムに関するものであり、非限定的な例として、製造ユニットは、外耳道の３次元構造について取得される数値データに基づいて自動的に操作され、補聴器の外側の耳型部分を自動的に形成する補聴器を製造する数値制御機械である。このような機械は、米国特許第５０５６２０４号明細書に記載されている。
【０１５２】
手／手袋に関連する実施形態：
好適な実施形態では、本発明は、本明細書において説明されるシステムに関するものであり、前記ウェアラブル製品及び／又は医療用製品はユーザの手（両手）に合わせてカスタマイズされる。
【０１５３】
好適な実施形態では、本発明は、手袋のカスタマイズ製造を行なうシステムに関するものであり、システムは：
−１つ以上のユーザの手又は手の一部のデジタル表現を格納して転送するように構成されるスキャンユニットと、
−１つ以上のプロバイダの手袋製造ユニットであって、前記製造ユニットが、手袋又は手袋の一部を、前記デジタル表現の幾何学的特徴に従って製造するように構成される、前記手袋製造ユニットと、
−カスタマイズ製品選択プラットフォームと、を備え、カスタマイズ製品選択プラットフォームは、
ａ）１つ以上のコンピューティング装置と、
ｂ）１つ以上のユーザの手又は手の一部のデジタル表現を含むユーザデータベースと、
ｃ）１つ以上のプロバイダによるカスタマイゼーションの対象となる１つ以上の製品のデジタル表現を含む製品データベースと、
ｄ）前記製品の識別及び選択、並びに任意のカスタマイゼーションを前記製品データベースに基づいて行なって、カスタマイズ製造を１つ以上のユーザの手又は手の一部のデジタル表現に従って行なうように構成されるコンピュータ実行可能ソフトウェアの形態のマッチング及び／又はコンフィギュレータエンジンと、
ｅ）（ｉ）前記スキャンユニットと前記ユーザデータベースとの間のデータ転送、（ｉｉ）前記ユーザデータベースと前記マッチング及び／又はコンフィギュレータエンジンとの間のデータ転送、（ｉｉｉ）前記製品データベースと前記マッチング及び／又はコンフィギュレータエンジンとの間のデータ転送、及び（ｉｖ）前記マッチング及び／又はコンフィギュレータエンジンと前記製造ユニットとの間のデータ転送を可能にするデータ接続と、を備え、
マッチング及び／又はコンフィギュレータエンジンは、１つ以上のユーザの手又は手の一部のデジタル表現の幾何学的特徴と製品データベースに格納されている１つ以上の製品のデジタル表現の比較を行なうように構成される。
【０１５４】
ハンドスキャニング装置は当業者に公知である。
【０１５５】
したがって、本発明は、製品をユーザの手（両手）に従ってカスタマイズする、本明細書において説明されるシステムに関するものであり、非限定的な例として、スキャンユニットは、手袋のカスタマイゼーションに用いられるスキャナであり、手袋のカスタマイゼーションに用いられるスキャナは、ユーザの両手の外郭線及び特徴を正確に表現して、ユーザが注文する手袋を決定するので、心地良さ、及び魅力を着用時に高めることができる。米国特許第８５１２６１５号明細書は、３次元形状又はユーザの手を表現するデータ集合を生成するスキャニングユニット又は撮像システムについて記載している。
【０１５６】
カスタマイズ手袋を製造する製造ユニットは当業者に公知である。
【０１５７】
したがって、本発明は、製品をユーザの手（両手）に従ってカスタマイズする、本明細書において説明されるシステムに関するものであり、非限定的な例として、製造ユニットは、ユーザの手の３次元画像を表現するデータ集合を取り込んでいるカスタムフィット手術用手袋を作製するシステムであり、３次元画像は、ユーザの手の寸法に関するデータを提供し、システムは、データを使用してユーザの手の型を３次元画像に由来するデータに基づいて作製し、ユーザの手の型を使用して手の型を予め作製しておいて、カスタムフィット手術用手袋を作製するために使用する。このようなシステムは、米国特許第８５１２６１５号明細書に記載されている。
【０１５８】
眼／眼鏡に関連する実施形態：
好適な実施形態では、本発明は、本明細書において説明されるシステムに関するものであり、前記ウェアラブル製品及び／又は医療用製品はユーザの眼（両眼）、鼻、前頭部、又は頭部に合わせてカスタマイズされる。
【０１５９】
好適な実施形態では、本発明は、眼鏡又はメガネのカスタマイズ製造を行なうシステムに関するものであり、システムは：
−１つ以上のユーザの眼（両眼）、鼻、前頭部、又は頭部もしくは眼（両眼）、前頭部、又は頭部の一部のデジタル表現を格納して転送するように構成されるスキャンユニットと、
−１つ以上のプロバイダの眼鏡製造ユニットであって、前記製造ユニットが、眼鏡のフレーム又は他の眼鏡構成部材、もしくはフレーム又は他の眼鏡構成部材の一部を、前記デジタル表現の幾何学的特徴に従って製造するように構成される、前記眼鏡製造ユニットと、
−カスタマイズ製品選択プラットフォームと、を備え、カスタマイズ製品選択プラットフォームは、
ａ）１つ以上のコンピューティング装置と、
ｂ）１つ以上のユーザの眼、鼻、前頭部、又は頭部、もしくは眼、鼻、前頭部、又は頭部の一部のデジタル表現を含むユーザデータベースと、
ｃ）１つ以上のプロバイダによるカスタマイゼーションの対象となる１つ以上の製品のデジタル表現を含む製品データベースと、
ｄ）前記製品の識別及び選択、並びに任意のカスタマイゼーションを前記製品データベースに基づいて行なって、カスタマイズ製造を１つ以上のユーザの眼、鼻、前頭部、又は頭部、もしくは眼、鼻、前頭部、又は頭部の一部のデジタル表現に従って行なうように構成されるコンピュータ実行可能ソフトウェアの形態のマッチング及び／又はコンフィギュレータエンジンと、
ｅ）（ｉ）前記スキャンユニットと前記ユーザデータベースとの間のデータ転送、（ｉｉ）前記ユーザデータベースと前記マッチング及び／又はコンフィギュレータエンジンとの間のデータ転送、（ｉｉｉ）前記製品データベースと前記マッチング及び／又はコンフィギュレータエンジンとの間のデータ転送、及び（ｉｖ）前記マッチング及び／又はコンフィギュレータエンジンと前記製造ユニットとの間のデータ転送を可能にするデータ接続と、を備え、
マッチング及び／又はコンフィギュレータエンジンは、１つ以上のユーザの眼、鼻、前頭部、又は頭部、もしくは眼、鼻、前頭部、又は頭部の一部のデジタル表現の幾何学的特徴と製品データベースに格納されている１つ以上の製品のデジタル表現の比較を行なうように構成される。
【０１６０】
眼、鼻、前頭部、又は頭部のスキャニング装置は当業者に公知である。
【０１６１】
したがって、本発明は、製品をユーザの眼（両眼）、前頭部、又は頭部に従ってカスタマイズする、本明細書において説明されるシステムに関するものであり、非限定的な例として、スキャンユニットは、顧客の顔の少なくとも一部をスキャンするように構成される。このようなシステムは、米国特許出願公開第２０１５／０６１１６６号明細書に記載されている。スキャニングユニットは、顧客の眼をスキャンして、顧客の眼の視認能力を把握する眼球スキャナを備える。眼球スキャナは、例えば眼屈折計、検眼計、及び／又は検眼鏡（客観的に把握する方法）を備える。顧客の視認能力に関して導出されるパラメータは、以後、視認能力パラメータと表記される。
【０１６２】
別の構成として、又は更に、スキャンユニットは、３Ｄスキャナを備える、例えばレーザスキャナ、又は顧客の顔の３次元形状又は顧客の頭部全体の外形を導出する複数の光ＣＣＤ（電荷結合素子）カメラを含むスキャナを備える。顧客の顔の個人形状を認識することにより、眼鏡の形状を顧客の顔に完全に適合させることができるので有利である。このように、顧客の着用快適感を大幅に高めることができる。スキャニングユニットにより導出されるパラメータは、以後、スキャニングパラメータと表記される。本発明の別の好適な実施形態によれば、装置はグラフィカルユーザインターフェースを備える。これにより、顧客が、顧客の顔の形状に既に適合させていることが好ましい特定のベースフレームを選択し、次にベースフレームのデザインを彼個人の要求及び要件に合うように自由に変更することが可能であるので有利である。例えば、フレームのカラー、パターン、形状、厚さは、顧客により自由に構成される。このような個人が構成可能なパラメータは、顧客パラメータと表記される。具体的には、ユーザインターフェースは、ディスプレイと、好ましくは眼鏡の実際のデザインを表示するタッチパッドと、を備える。
【０１６３】
カスタマイズ眼鏡フレーム又はレンズを製造する製造ユニットは当業者に公知である。
【０１６４】
したがって、本発明は、製品をユーザの眼（両眼）、前頭部、又は頭部に従ってカスタマイズする、本明細書において説明されるシステムに関するものであり、非限定的な例として、製造ユニットは、眼鏡レンズ及び／又は眼鏡フレームに印刷する少なくとも１つの印刷装置を含むカスタムメイドの眼鏡を製造するシステムであり、印刷装置は、眼鏡レンズ及び／又は眼鏡フレームに、スキャニングユニットのスキャニングデータの通りに印刷するように構成される。このような印刷装置は、米国特許出願公開第２０１５／０６１１６６号明細書に詳細に記載されている。
【０１６５】
本発明の更に別の態様は、個人化ウェアラブル製品及び／又は医療用製品選択を行なうシステムに関するものであり、システムは：
−１つ以上のユーザの身体又は身体の一部のデジタル表現を格納して転送するように構成されるスキャンユニットと、
−１つ以上のプロバイダのプロバイダユニットであって、前記プロバイダユニットが、ウェアラブル製品及び／又は医療用製品又はウェアラブル製品及び／又は医療用製品の一部を、前記デジタル表現の幾何学的特徴に従って製造する、個人化する、及び／又は保存するように構成される、前記プロバイダユニットと、
−カスタマイズ製品選択プラットフォームと、を備え、カスタマイズ製品選択プラットフォームは、
ａ）１つ以上のコンピューティング装置と、
ｂ）１つ以上のユーザの身体又は身体の一部のデジタル表現を含むユーザデータベースと、
ｃ）１つ以上のプロバイダによるカスタマイゼーションの対象となる１つ以上の製品のデジタル表現を含む製品データベースと、
ｄ）前記製品の識別及び選択、並びに任意のカスタマイゼーションを前記製品データベースに基づいて行なうように構成されるコンピュータ実行可能ソフトウェアの形態のマッチング及び／又はコンフィギュレータエンジンと、
ｅ）（ｉ）前記スキャンユニットと前記ユーザデータベースとの間のデータ転送、（ｉｉ）前記ユーザデータベースと前記マッチング及び／又はコンフィギュレータエンジンとの間のデータ転送、（ｉｉｉ）前記製品データベースと前記マッチング及び／又はコンフィギュレータエンジンとの間のデータ転送、及び（ｉｖ）前記マッチング及び／又はコンフィギュレータエンジンと前記プロバイダユニットとの間のデータ転送を可能にするデータ接続と、を備え、
マッチング及び／又はコンフィギュレータエンジンは、１つ以上のユーザの身体又は身体の一部のデジタル表現の幾何学的特徴と製品データベースに格納されている１つ以上の製品のデジタル表現の比較を行なうように構成される。
【０１６６】
このような実施形態では、ベストフィットモデルにフィットする製品の選択は、このような製品のカスタマイズ製造を行なう上記方法及びシステムに従った製品のカスタマイゼーションと組み合わせて取り入れられることが好ましい。
【０１６７】
本発明は、好適な実施形態では、図及び／又は例が示される状況において以下に記載されるソフトウェアモジュール群のうち１つ以上のソフトウェアモジュールを任意の所定の組み合わせで含む。当業者であれば、ソフトウェアモジュールの特定の詳細は、上に説明したように、推定されて本発明のコンセプトに統合されることに気付くであろう。
【図面の簡単な説明】
【０１６８】
本発明は、一例として、本明細書において開示される例及び図により明らかになる。提供されるこれらの図は、本発明の特定の実施形態を表わし、本発明の範囲を限定するものではない。これらの図は、１つ以上の非限定的な実施形態に関する技術的理解を高める、考えられ得る好適な実施形態についての詳細な記述を与えるものと考えられる。
【図１】身体情報をスキャニング装置６１に渡す１つ以上のユーザ６０（ｎはユーザの任意の数を表わしている）を明示する本発明のシステムの好適な実施形態の概略図である。前記スキャニング装置６１から取得されるデータは、スキャンユニット５１に送信され、スキャンユニット５１から、前記データがユーザデータベース５６に送信される。身体データは、各ユーザ６０に対応して前記ユーザデータベース５６内のユーザプロフィール５６に保管されることが好ましい。ユーザデータベース５６に由来するデータは、マッチング及び／又はコンフィギュレータエンジン５９に送信され、マッチング及び／又はコンフィギュレータエンジンが更に、データを、特定の製品がデジタル表現５８されている製品プロフィール６７を含む製品データベース５７から受信する。本明細書において記載されるエンジンの機能を実行するマッチング及び／又はコンフィギュレータエンジン５９はデータをプロバイダ５４の製造ユニット５３に送信する。プロバイダ５４更に、製品５０に関するデータを製品データベース５７に送信して、マッチング及び／又はコンフィギュレータエンジン５９が利用する。製造ユニット５３は、カスタマイズ製品５０の製造を、ユーザ６０の身体又は身体の一部のデジタル表現６２の幾何学的特徴に従って実行し、前記製品５０はユーザ６０に送付される。
【図２】本発明のシステム及び方法に含まれるプロセスの一連の好適な表現図である。図２は、ユーザプロフィール５の生成、及びユーザデータのユーザデータベース５６（ＤＢＭＳ）への次の格納を表現している。身体データ、好ましくはユーザ６０の身体又は身体の一部のデジタル表現５２が、スキャンユニット５１、スキャニング装置６１、及び／又はスキャンソフトウェアモジュール１を介して生成される、及び／又は格納される。本発明の状況では、身体データ及び／又はデジタル表現は、ユーザ６０の身体又は身体の一部５２の幾何学的特徴を含むことが好ましい。身体データはユーザプロフィール５に格納される。カスタマイズ製品選択プラットフォーム５５に入力した後、ユーザは、製品カテゴリーを、販売ツール２を介して選択し、マッチングが、ユーザプロフィール５に由来するデータと１つ以上の製品の１つ以上のデジタル表現５８を含む製品データベース５７に由来するデータとの間で得られる。製品５０は、製造に対応して選択され、ユーザに、販売製品マッチング３ソフトウェアモジュールを含むことが好ましいマッチング及び／又はコンフィギュレータエンジン５９を介して提示される。特定の製品５０がユーザに、分析モジュール１４及び／又は予測モジュール１５に基づいて提示される。選択した製品５０は、コンフィギュレータ４ソフトウェアモジュールを含むことが好ましいマッチング及び／又はコンフィギュレータエンジン５９を介して個人化及び／又はカスタマイズすることができる。ユーザ６０は、製品を選択し、注文９ソフトウェアモジュールを使用して注文を出す。注文処理検証が行われて購入が完了する。注文データは、製造ユニット５３を備えるプロバイダ５４に転送され、製造が行なわれ、製品５０が配送される。様々なモジュール間のデータ伝送及び／又は製品送付及び／又はデータ接続が矢印として示される。
【図３】マッチング及び／又はコンフィギュレータエンジン５９に見出すことができるようなモジュールのシステム構造の好適な表現である。コアモジュール群として図示されているのが、スキャン１、販売ツール２、販売製品マッチング３、コンフィギュレータ４、ユーザプロフィール５、オーダリング９、製品プロフィール１０、及び製品プロフィール１２である。別の任意のコアモジュール群として図示されているのが、トレンディング６、スタイル７、コミュニティ８、メッセージング１１、報酬１３、分析１４、及び予測１５である。周辺モジュール群として図示されているのが、ユーザケア１６、プロバイダケア１７、販売レポート機能１８、記録機能１９、請求機能２０、ファイルインポート／エクスポート２１、及び管理２２である。様々なモジュール間のデータ伝送及び／又は製品送付及び／又はデータ接続が矢印として示される。更に別のデータ接続が表２に示される。
【図４】製造プロフィールの下位区分、及び製造プロフィールに含まれるデータの概略図である。
【図５】靴底の製造を行なう成形装置、及び射出ユニットの縦長断面である。
【図６】鋳込ユニットの上方に垂直に配置されている状態の鋳込金型の側部断面である。
【図７】鋳込金型の平面図である。
【図８】異なる特性の靴底部分である。
【図９】添加剤用カートの概略図である。
【図１０】バルブアセンブリである。
【図１１】添加剤の概略図である。
【０１６９】
以下の参照記号がこれらの図に使用されている：
スキャン（１）
販売ツール（２）
販売製品マッチング（３）
コンフィギュレータ（４）
ユーザプロフィール（５）
トレンディング（６）
スタイル（７）
コミュニティ（８）
オーダリング（９）
製品プロフィール（１０）
メッセージング（１１）
製造プロフィール（１２）
報酬（１３）
分析（１４）
予測（１５）
ユーザケア（１６）
プロバイダケア（１７）
販売レポート機能（１８）
記録機能（１９）
請求機能（２０）
ファイルインポート／エクスポート（２１）
管理（２２）
ウェアラブル製品及び／又は医療用製品（５０）
スキャンユニット（５１）
身体又は身体の一部のデジタル表現（５２）
製造ユニット（５３）
プロバイダ（５４）
カスタマイズ製品選択プラットフォーム（５５）
ユーザデータベース（５６）
製品データベース（５７）
１つ以上の製品のデジタル表現（５８）
マッチング及び／又はコンフィギュレータエンジン（５９）
ユーザ（６０）
スキャニング装置（６１）
靴又は靴の一部（６２）
足又は足の一部のデジタル表現（６３）
靴製造ユニット（６４）
１つ以上の靴のデジタル表現（６５）
射出装置及び／又は成形装置（６６）
靴底（７１）
ミキシングヘッド（７２）
ハウジング（７３）
先細りスクリュー／スクリューチャンバ（７４）
ミキシングスクリュー（７５）
ノズルマウスピース（７６）
スプルーランナー（７７）
成形工具（７８）
２つの側面成形部材（７９）
ベーススタンプ（８０）
キャビティ（８１）
靴アッパー（８２）
ブロック（８３）
サプライチャネル（８４）
通路又は経路（８６）
基準（８７）
フレーム（８８）
電子制御（８９）
計量ポンプ（９０）
温度制御圧力容器（９１）
温度制御ユニット（９２）
ホース（９３）
【発明を実施するための形態】
【０１７０】
例
本発明は、本明細書において開示される例を通して明らかになる。これらの例は、技術的理解を容易にし、本発明の潜在的な好適な非限定的な実施形態に関する更に詳細な説明を与える。
【０１７１】
システム概要：
本明細書において説明されるのは、ブランド非依存及びプロバイダ非依存ウェブ利用プラットフォームであり、個人ユーザプロフィールを生成することができる。これらのユーザプロフィール内では、検証済みユーザに由来する異なる種類のデジタル化身体データを格納することができ、デジタル化身体データが次に、織物、靴、ズボン、シャツ、手袋、帽子などのような製品の特定の選択に対応して使用されることになる。保存された身体データを使用して、ずっと正確な個人製品選択が消費者にとって可能になる。
【０１７２】
消費者が旅行している間の特定のユーザ行動に基づいて、「Ｂｉｇ  Ｄａｔａ  Ａｎａｌｙｔｉｃｓ（ビッグデータ分析）」を適用して、ずっと正確な製品を消費者に提供することができる。この原理では、利用可能なデータの評価が正確であると仮定する。ユーザプロフィールに出来る限り近くなるために、充分なプロフィールデータをユーザから収集していると有利である。消費者データの記録は、既存の国家及び国際プライバシー規則に準拠して行なわれる。セキュアなデータ処理が保証される。
【０１７３】
必要な個人識別可能データは、プラットフォームに全ての接続先のデバイスから入力する、例えば家庭から入力する、ストアの中から入力する、モバイル装置などから入力することができる。このデータを次に、セキュアデータベース管理システム（ＤＢＭＳ）に格納する。ＤＢＭＳへの物理的／技術的アクセス可能性は世界中で利用することができる。正しい機能を確保するためのシステムの対応する冗長度を設定することができる。それぞれの個人ユーザプロフィールがＤＢＭＳに格納される場合、選択したパートナー会社（プロバイダ）をこのデータベースに接続して、パートナー会社のカスタマイズ可能な製品を提供して、注文をユーザから受け付ける必要がある。
【０１７４】
医療品又はウェアラブル品、もしくは靴、織物、ヘッドギア、手袋、宝飾品、眼鏡、補聴器／耳栓のような特定の派生製品が選択されている場合、パートナー会社製の全製品が消費者に製品データベース及びコンフィギュレータを介して提供される。消費者が更に正確かつ具体的な製品選択を行なった後、個人製品提供物を消費者に提示することができる。
【０１７５】
次に、製品提供物は、ユーザプロフィールに従って、製品をより良好にフィットさせることにより、又は個人消費者のスタイルにより近づくように合わせることにより理想化して調整することができる。製品のフィット感は、具体的には、ユーザの身体又は身体の一部の幾何学的特徴もしくは身体又は身体の一部のデジタル表現を使用することにより高めることができる。対応するユーザ嗜好を考慮に入れるだけでなく、身体的／幾何学的要求を考慮に入れる。当該選択の中から、消費者にとって最良に最適化された製品が特定される。当該選択では、１つ以上の製品を製品カテゴリーの中から選択することができる。
【０１７６】
本発明のシステム内の最も有利な機能のうちの１つの機能が、製品を消費者の特定のニーズに従って、例えば消費者の身体又は身体の一部の幾何学的特徴に従って個人化することができる可能性があることである。これを可能にするために、パートナー会社（プロバイダ）は、特定の製品を製品データベースに、最小限／最大限にカスタマイズ可能な寸法のような、又は消費者が個人化することができる可能性がある挙動データのような特定の特徴に従って分類する。
【０１７７】
本発明のシステム又は方法に含まれる好適な一連のステップは以下の通りである：
−ユーザがユーザプロフィールを生成する（後で、プロフィールを拡張することが可能）。
−プロフィールをＤＢＭＳに格納する。
−ユーザが、システムのコンピュータインターフェースに、任意の所定のオペレーティング装置又はコンピューティング装置を介して、例えばＰＣ、タブレット、スマートフォン、又は端末を介して入力を行なう。
−製品カテゴリー、例えば靴を選択する。
−靴タイプ、例えばスポーツシューズを入力／選択する。
−本発明のシステムが次に、最もフィットする可能性のある１つ以上の製品を、ユーザプロフィールから入手可能なユーザ身体データを使用し、ユーザ身体データを、製品データベースに格納されている製品の最小限／最大限にカスタマイズ可能なサイズ、形状、カラー、フォーム、質感、材料などのような特徴と比較することにより選択し、これにより、更に別のトレンディングデータ、分析データ、及び／又は予測データを選択中に評価して考慮することができる。
−システムが１つ以上の製品を、製品特徴に関するカスタマイゼーションオプションを含む契約パートナー（プロバイダ）により製造される選択製品として供給する。
−消費者が提供製品を選択することができる、又は提供製品を、スタイル又は行動を利用してコンフィギュレーションエンジンで個人化することができる。
−支払調整額を精算する。
−注文を契約パートナー会社（プロバイダ）に送付して製造を行なうことになる。
−製品の製造後、製品を消費者に送付することになる。
【０１７８】
また、システムは、移動追跡機能を使用して消費者に必要に応じて個人化製品を、消費者の実際の所在地の近くの地理的場所に提供することができる可能性を有する。消費者が移動追跡機能を使用したいと考える場合、消費者は、販売機会が設けられる隣のショッピング施設に自動的に経路誘導される。
【０１７９】
本明細書において説明されるシステムには、スマートフォン又はタブレットのプッシュ通知機能の可能性が付与されて、消費者に最新の提供物又は製品に関する通知を行なう。
【０１８０】
本システムのポータル構造は、消費者の人数を動的に増やすことができるように設計されている。システムは、好適な実施形態では、現在公知のシステムと比較して、使い勝手、利用可能性、拡張可能性、拡張性、調整可能性、及びセキュリティが向上していることにより特徴付けられる。
【０１８１】
システム構造：
システムの構造的バックボーンは、システムの好適な定義機能であり、システムに固有の特徴を持つシステムモジュール全体を含む。システムに適する機能を実行するように構成される特定のソフトウェアモジュールとしてシステムに含まれるモジュールは、コアモジュール及び周辺モジュールに分割される。コアモジュールは、幾つかの実施形態では、プラットフォームの動作に必要とされる。任意のコアモジュールを好適な実施形態に含めることができる。周辺モジュールは、システムにケア機能又は管理機能（請求機能、記録機能、インポート／エクスポート機能、レポート機能、管理機能など）を付与する。一連のモジュールは、プラットフォームに関して正当であると認証され、モジュールを追加することにより拡張することができる。
【０１８２】
図１は、システムの概要を表わし、図２は、本発明のシステム及び方法に含まれるプロセスの構成要素を順次表現した好適な実施形態を示している。図３は、モジュールのシステム構造の好適な表現を示している。
【０１８３】
表１．モジュール概要
【表１】
2019525853.tif 000003
【０１８４】
表２．図に示され、かつ好適な実施形態に示されるモジュール群、及び様々なモジュール間の好適な情報接続並びに関係の概要
【表２−１】
2019525853.tif 000004
【表２−２】
2019525853.tif 000005
【表２−３】
2019525853.tif 000006
【０１８５】
表３．モジュール及び好適な機能の概要
【表３−１】
2019525853.tif 000007
【表３−２】
2019525853.tif 000008
【表３−３】
2019525853.tif 000009
【０１８６】
システムのモジュールについて以下に更に詳細に説明する：
【０１８７】
ユーザプロフィール（５）：
モジュール「ユーザプロフィール」（別の構成として、消費者プロフィールと表記される）は、全ての重要な個人消費者／ユーザ関連データを収集する。最新のデータセキュリティ規格は、データが転送されてＤＢＭＳに格納されるときに考慮される。インストールされるデータベースは、全ての大陸から入手することができるので、及び／又は全ての大陸に供給することができるので、適切な帯域幅及び性能レベルを確保することが好ましい。ユーザは、ユーザのプロフィールをいずれの場所でも、いずれの時刻でも生成する、拡張する、又は変更することができる。それぞれのプロフィールに基づくこれらの変更は、ユーザがウェブサイトを介して行なうことができる、又は対応するアプリケーションで行なうことができる。この場合、消費者は、専用端末を介して、又は公衆がアクセス可能なポータル（例えば、ストアのポータル）を介してアクセスを行なうことができる。
【０１８８】
プロフィールデータは好適には：
−個人データ
−口座／支払データ
−ソーシャルメディアデータ
−報酬データ
−身体データ
−製品データ
−民族学的データ
−個人化スタイル／デザインデータを含む。
【０１８９】
ユーザのデータは、システムのユーザデータベースの内部に送信される必要がある。送信は、手動で（キーボードを使用することにより）行なうことができるか、又は送信は、異なる技術を利用して、例えばボディスキャナから直接自動的に行なうことができる。
【０１９０】
消費者は、システムウェブサイト又はシステムアプリケーションに入力を行ない、論理シーケンスで登録プロセスを介して案内されることになる。必須データは、個人データ、身体データ、及び口座データである。任意のデータは、ソーシャルメディアデータ、民族学的データ、製品データ、報酬データ、及びスタイル／デザインデータである。
【０１９１】
提供される製品は、システムに接続されるパートナー会社（プロバイダ）により調整される。ユーザによる製品選択の後、この製品は、標準製品として購入することができる、又は消費者がデザイン又は性能により、コンフィギュレータに従って変更することができる。各製品の変更対象の構成部材の範囲は、パートナー会社（プロバイダ）により、製造能力に基づいて決定されるが、その理由は、パートナー会社だけが、各製品に関する重要な特徴及び製造能力を検証することができるからである。製品に対する個人による変更が行なわれる場合、新規製品構成が既に生成されている。この新規構成は、接続先のパートナー会社（プロバイダ）に送信されることになり、パートナー会社が次に、当該製品を特定の変更に従って製造する。
【０１９２】
製品プロフィール（１０）
モジュール「製品プロフィール」は、接続先のパートナー会社（プロバイダ）製の製品を表わしている。各パートナー会社は、製品の定義を行なう責任があり、製品の構成可能性は、システムポータルに表示されることになる。パートナー会社は、変更に関する最小値／最大値を、例えばサイズ、材料、カラー、性能値などの変更に関する最小値／最大値を格納しておく必要がある。ユーザにより生成される身体データを使用して最適な製品を、製品プロフィール中のこれらの基本的特徴に基づいて特定する。
【０１９３】
プロフィールに含まれることになる基本データは、製品デザインデータ、他に製造プロフィールとも表記される製造時メタデータに分けられる。製品を当該製品のオリジナル版として製造することに関する全ての重要情報は、メタデータ内に格納される。製品について可能な変更は、デザインデータ内に保管される。標準製品を選択して、当該標準製品をいずれの変更も行なうことなく購入することが可能である。変更が好ましい。
【０１９４】
例えば、製造業者（プロバイダ）は、靴の性能の調整を、例えば靴底特性を変更することにより行なうことができる。この調整は、ランニングプロフィールの対応検出値、及びランニングプロフィールの評価を使用することにより行なうことができる。
【０１９５】
製造プロフィール（１２）
モジュール「製造プロフィール」は、接続先のパートナー会社（プロバイダ）からの必要な情報であって、パートナー会社が、１つ以上の製造施設を異なる場所に有することができることを示す情報を含む。各製品は、１つ以上の製造施設に指定することができる。製品製造業者の指定は、パートナー会社（ブランド企業及び／又は製造業者）により行なわれ、システムポータルから行なうことができる。各製品のブランド企業は、製造施設が、受け付けた注文品を製造するために必要な能力を確実に有するようにする必要がある。プロフィール製造は、２つの個別カテゴリー：概要データ及びスキルに分けられることが好ましい。カテゴリー「概要データ」は、注文される製品を製造することができる製造施設を決定するために必要な全ての関連データからなる。カテゴリー「スキル」は、各個々の製造施設に由来する性能レベルに関する全ての関連情報を含む。性能レベルとは、製品をこの施設内で製造することができ、どの程度の変更が可能であるかを意味している。
【０１９６】
注文が既にシステムポータルから出されている場合、この注文を、製品の製造が認証されている製造施設に関連付けることができる。製品を注文する前に、製品の製造業者は、製品価格及び配送時間のような必要情報に関するフィードバックをシステムポータルに対して行なう必要がある。この情報は、標準製品又は個人化製品ごとの製品ステータスとは無関係であることが好ましい。製造施設は、製品を製造するために必要な全ての材料が工場内にあり、全ての材料をいつでも入手できる状態を確保する必要がある。倉庫計画及び製造計画は、製造施設に委任される。
【０１９７】
１つの製品を異なる独立した製造施設で製造することができる事態が発生する場合、製品のブランド企業は、どの製造施設で注文を受け付けるかについて決定を下す必要がある。ブランド企業の意思決定誘導要素は、価格、配送時間、注文量などとすることができる。ランク付けシステムを、ブランド企業の製造施設に関して作成するというのは、又は注文を出す過程に関して作成するというのはブランド企業の決定事項である。
【０１９８】
図４は、製造プロフィール及び製造プロフィールに含まれるデータを細分割したときの概略表現図を示している。
【０１９９】
オーダリング（９）
モジュール「オーダリング（注文）」の全機能は、消費者又はパートナー会社に由来する全ての金融トランザクションの管理である。消費者が製品の最終選択を行なって、製品価格及び配送時間のような全ての必要支払情報に気付いている場合、注文を受け付けることができる。この受付情報を次に、全ての製品情報と一緒に製造施設に転送する。当該プロセス中、注文に独自の注文識別番号が付与され、この注文識別番号を製品（群）に関連付け、消費者に関連付ける。１つの注文が１つよりも多くの製品の注文である場合、商品の合計価値を加算する必要があり、１つの価格に転嫁する必要がある。１つの注文のうちの異なる製品を異なる製造施設で製造できることが可能である。注文対象の各製品に独自の製造識別番号を付与して、製造施設名が付された注文を特定する。
【０２００】
最後に、全注文に独自の請求書番号を付与し、この請求書番号を消費者に転送して支払処理を行なわせる必要がある。購入が完了した後、注文モジュールは、注文確定が付された概算注文見積書を生成する。
【０２０１】
オーダリングモジュールは、サービスプロバイダとの支払精算を進めており、パートナー会社（プロバイダ）への支払転送を合意条件に従って調整する。全ての支払トランザクションが承認されている（消費者に支払能力がある）場合、商品を消費者に、製品の製造が完了していればいつでも送付することができる。オーダリングモジュールは、住所及び配送先データを、選択した物流プロバイダに転送しており、物流プロバイダが次に、商品を製造業者から受け取ることができる。１つ以上の製品を返品する必要がある事態が発生する場合、オーダリングモジュールは、返品処理を実行する。
【０２０２】
スキャンモジュール（１）
モジュール「スキャン」は、ユーザからの身体データ、及びパートナー会社から提供される製品に関する製品データに関する技術的判断の取得及び／又は管理を可能にする。身体及び／又は製品データは、２Ｄ生成データ及び／又は３Ｄモデルとして入手可能である。本発明の文脈では、身体及び／又は製品データは、とりわけユーザの身体、又は身体の一部の幾何学的特徴と表記することができる。これらのデータに関する技術的判断は、対応する測定技術を使用することにより、手動（２Ｄ）で、又は技術的（２Ｄ、３Ｄ）に行なうことができる。多くの異なる技術は、消費者にとって容易かつ非常に便利な身体データを検出するために容易に利用することができる。
【０２０３】
スキャニング技術の取り込みを実現するために、ハードウェアを全てのパートナー会社のソフトウェアに接続する技術インターフェースが定義される必要がある。このインターフェースは、生成された２Ｄ／３Ｄデータを標準ファイル指定データに変換することにより、このデータのコンテンツをシステムポータルが理解できるようにする。
【０２０４】
更に別のプロセスは、スキャンモジュールからのデータを製品プロフィールに取り込むことを可能にする。簡単な事例では、これは、例えば足のサイズ又は凹凸の決定であり、決定が下されると直ぐに、販売ツールが、製品データベースに由来する製品プロフィールに鑑みて、消費者に対して理想的なマッチング製品を提案することができる。好適な実施形態では、拡張機能が、ユーザからのランニング情報又は他の動的な足情報もしくは身体情報をユーザプロフィールに取り込む。ランニングデータ又は歩行データを製品プロフィールにマッチングさせる場合、消費者向けの全カスタマイズ靴底の製造が可能である。変更は、ブランド企業（プロバイダ）により製造される各製品に関して事前に決定された特徴及びデータに関連して自動的に行なうことができる。送信された身体／製品データはユーザプロフィールに格納されることになる。
【０２０５】
コンフィギュレータモジュール（４）
「コンフィギュレータ」モジュールは、消費者が、選択した製品から消費者の特定のニーズに個人適合させることを可能にする。製品への適合化は、特定のルールに従って行なわれ、特定のルールは、プロバイダが、製造能力及びカスタマイゼーション能力に関して決定される任意の所定の製品について決定する必要がある。これらのルールはポータルに、製品リリース前に提供される必要がある。
【０２０６】
適合化又はカスタマイゼーションは単に、製品又は製品構成部材のカラーの変更とすることができる。この変更は、サイズ、形状、材料、重量、密度などに基づく製品の性能値の変更を含むこともできる。これらの性能適合化は、プロバイダで認証されて、製品に関連する最小値／最大値として設定される必要がある。変更を容易にするために、有望なカスタマイゼーションを魅力的に提示するということが考えられる。更に、ユーザは、選択した製品と同等の類似製品を含むことができる更に別の製品情報を取得することができる。
【０２０７】
モジュールコンフィギュレータのモジュールＳｔｙｌｅ（スタイル）及びＴｒｅｎｄｓ（トレンド）からの情報を取り込んで、より広い範囲の情報を消費者に供給する。製品が消費者によりアイデア（スタイル、カラー）及びニーズ（性能）に従って構成される場合、この製品の他に、消費者プロフィールに基づく類似製品が可視化されて提供されることになる。ユーザが構成作業中に、当該時点で未知である製品の更に別の新規特徴を選択する場合、これらの新規特徴は、ユーザプロフィール及び／又は製品プロフィールに記録することができ、次の購入オプションとして使用することができる。モジュール「コンフィギュレータ」は更に、拡張現実オプション又は仮想現実オプションのような技術でサポートされるのでショッピング体験を高めることができる。
【０２０８】
販売ツールモジュール（２）
モジュール「販売ツール」は、ユーザのシステムポータルのフロントエンドで動作する上位ユニットであることが好ましい。販売ツールは、消費者がシステムポータルに入って製品を購入するときの論理フローを体系化する。販売ツールモジュールは、プロフィールを生成して当該プロフィールを、ユーザプロフィールを介して適切に構成することを可能にする。販売ツールは、モジュールＳｃａｎ（スキャン）、Ｃｏｎｆｉｇｕｒａｔｏｒ（コンフィギュレータ）、Ｏｒｄｅｒ（注文）、Ｓｔｙｌｅ（スタイル）、Ｔｒｅｎｄｓ（トレンド）、Ｃｏｍｍｕｎｉｔｙ（コミュニティ）、Ｓｍａｒｔ  Ｄａｔａ（スマートデータ）、Ｍｅｓｓａｇｉｎｇ（メッセージング）、Ｐｒｅｄｉｃｔｉｏｎｓ（予測）、及びＲｅｗａｒｄ（報酬）を統合する。販売ツールモジュールは、バックグラウンドで機能して、これらのモジュール間のインタラクション及び相互通信を体系化することもできる。
【０２０９】
消費者は、販売ツールショップエリア内に、フリー製品検索オプション及び／又は目標製品検索オプションのいずれかを見つけ出す。製品検索は、個人情報（サイズ、スタイル、仕様、ブランドなど）のようなユーザプロフィールに指定される特徴により容易になる。標準製品の他に、指定プロフィールに従った事前選択がユーザに対して提示される。
【０２１０】
販売ツールは、モジュールＳｍａｒｔＤａｔａ（スマートデータ）と一体となって製品検索中に動作し、これにより、製品の事前選択が消費者にとって簡単になる。当該動作を行なうことにより、消費者に対する自動購入推奨が、ユーザの、又は他のユーザのこれまでの購入イベントに基づいて生成される。販売ツール内の更に別のオプションは、ショッピングカート、ウィッシュリスト、又は未購入記憶機能を有するメモ帳である。
【０２１１】
メッセージングモジュール（１１）
モジュール「メッセージング」は、全ての通信タスクを受け持つ。メッセージングはユーザに対してだけでなく、他のインストールモジュールに対しても行なわれる。異なる通信チャネルを使用することが可能である。通信チャネルの選択は、必要性に応じて決定される必要がある。口座情報、備忘録、又はオーダリング（注文）のような機密情報は、セキュアな通信チャネルを介して、例えば電子メール又はポストレターを介して転送される。メッセージングモジュールは、オーダリング情報、注文確定の通知、製品情報及び起こり得る支払いの備忘録の配信が確実に行なわれるようにする。ユーザに送信される全ての情報は、分離クライアントとして格納される。格納データのファイリングは、特定の消費者に割り当てられる消費者ＩＤを使用することにより理解できるようにする必要がある。
【０２１２】
報酬モジュール（１３）
「報酬」モジュールは、消費者による購入を指向したポイントシステムの機能として動作する。購入が更に多く行なわれると、報酬振込口座の報酬がより多額になる。購入が実際に行なわれた場合にのみ、ポイントが与えられる。
【０２１３】
販売製品マッチングモジュール（３）
「ＳａｌｅｓＭａｔｃｈ（販売製品マッチング）」モジュールは、ユーザプロフィールと製品プロフィールとのマッチングを購入過程で可能にする。「販売製品マッチング」では、ユーザプロフィール及び／又は「コンフィギュレータ」に由来するコンテンツを、製品プロフィールに由来する既存データと継続的に比較する。
【０２１４】
マッチング候補値は、サイズ、性能値、身体の幾何学的寸法、カラー、スタイルなどに関連している。上記値に基づくマッチングにより、消費者が製品に、ずっと正確に、かつより良好にフィットするようになり、嫌悪感、不快感、又は他の拒絶感を覚える機会が必ず少なくなる。このように、消費者は、これらの値のいずれかを、消費者自身で、ドロップボックス又は他の可能選択肢から選択する必要が全くなくなるが、その理由は、「販売製品マッチング」がこれらの動作を自動的に受け持つからである。販売製品マッチングは、マッチング処理に類似する類似製品も提供している。販売製品マッチングを使用して、他の製品提案を、トレンド又はスタイルに基づいて通知して、これらの製品を消費者に対して強調することもできる。
【０２１５】
モジュール「ＳａｌｅｓＭａｔｃｈ（販売製品マッチング）」の内部の別の機能は、写真測量物体認識（ＰＯＲ）である。このＰＯＲ機能を使用することにより、スマートフォンＰＣ又はタブレットＰＣのカメラは、カメラがＰＣに保持されている状態で物体を特定し、発光物体を製品ＤＢＭＳに含まれる製品の幾何学的寸法データと比較する。製品が見つけ出されて製品を消費者のユーザプロフィール値とマッチングさせている場合、当該製品を購入することができる。
【０２１６】
分析モジュール（１４）
モジュール「Ａｎａｌｙｔｉｃｓ（分析）」は、消費者に由来する、及び／又はマーケットに由来するデータの分析を可能にし、これらのデータを解釈して異なるセグメントに分類する。好適なセグメントは、例えば様々なウェアラブル製品及び／又は医療用製品に関する消費者行動、マーケット変化、スタイル及びトレンド変化である。好適な実施形態では、分析モジュールは、データを主として、全てのＣｏｒｅ  Ｍｏｄｕｌｅｓ（コアモジュール）（図３参照）からのみならず、「コミュニティ」、「メッセージ」、「スタイル」、「トレンド」、「デザイン」、及び「報酬」のような幾つかの任意のモジュールからも取得する。
【０２１７】
プラットフォーム上の「トラフィック」（購入及び／又は製品興味に関する消費者行動）及び特に個人ユーザトラフィックを分析することにより、特定のカスタマイズ広告を消費者に提示することが可能になる。当該分析の他に、ウェブサイト又はプラットフォームの使用（検索、選択）を特定する必要がある。好適な実施形態では、「Ａｎａｌｙｔｉｃｓ（分析）」は、「Ｓｅｌｆ−Ｌｅａｒｎｉｎｇ（自己学習）」ソフトウェアモジュールである。
【０２１８】
スポーツのような主要なソーシャルイベント、又はプロモーションイベントが任意の所定ユーザの地理的近傍で行なわれる場合、トラフィックが増加する場所を特定することができ、トラフィックを特定のイベントに割り当てることができる。したがって、分析モジュールは、ウェブサイト／プラットフォームの概略性能を分析して、可能な最良の性能をユーザに関して確保することができる。全ての収集データを要約してレポートとすることにより、プラットフォームの性能向上の可能性がある場所を突き止めることが好ましい。接続先のパートナー会社（プロバイダ）は、幾つかの実施形態では、収集データを使用して商品の購入を分析することができる。
【０２１９】
予測モジュール（１５）
モジュール「Ｐｒｅｄｉｃｔｉｏｎｓ（予測）」は、当該モジュールのデータをモジュール「Ａｎａｌｙｔｉｃｓ（分析）」から取得し、「Ｓｍａｒｔ  ｄａｔａ（スマートデータ）」又は「Ｂｉｇ  ｄａｔａ（ビッグデータ）」から取得し、好適には異なるオンラインチャネルから取得し、更には実際のオンラインディスカッションからソーシャルネットワークを介して取得する（例えば、コミュニティ、メッセージング、トレンドモジュールを介して）。予測モジュールの機能は、データマイニングを実行し、この収集データから製品提案又は製品推奨、もしくは製品最適化／カスタマイゼーションに関する新規戦略を策定することである。
【０２２０】
データマイニングを事前に実行することにより、新規戦略（製品提案又は製品推奨、もしくは製品最適化／カスタマイゼーション）を提供することができ、この新規戦略を接続先のパートナー会社（プロバイダ）に転送して、例えば製品製造能力を調整する、又は製品プロフィールを調整することができる。可能なシナリオは：茶色の革靴を購入するユーザが３週間後に靴に合うズボンを購入することになるというシナリオとすることができる。
【０２２１】
「Ｐｒｅｄｉｃｔｉｏｎ（予測）」ソフトウェアモジュールは、このような消費者行動の予測を可能にし、予測した消費者行動を、パートナー会社による製品サービスのスケジュールを立てる（例えば、製品及び製造プロフィールを利用して）ことができる接続先の関連パートナー会社（プロバイダ）に転送することができる。また、一例として、ユーザは、広告を事前に受け取って、カスタムフィットズボンを靴取得時に注文することができる。「Ｐｒｅｄｉｃｔｉｏｎ（予測）」モジュールは、ユーザの個人行動に関する収集データに基づいて、及び／又は本明細書に記載されるような外部ソースから収集されるデータに基づいて機能し、他の可能なウェアラブル製品及び／又は医療用製品を本明細書に記載されるシステムの使用中に、ユーザ及び／又はプロバイダに対して提案する。
【０２２２】
靴底の製造に関する例
任意の所定の注文に由来する情報は、製造装置に転送される。前記情報は、ユーザの足又は足の一部のデジタル表現、特にユーザの足又は足の一部のデジタル表現の幾何学的特徴を含むことが好ましい。
【０２２３】
製造装置は、靴製造装置、例えばこの場合、射出装置又は成形装置であることが好ましい。
【０２２４】
図５は、参照番号７１で一括指示される靴底を形成する装置の断面図を示している。この装置は、先細りスクリュー７４を収容するハウジング７３として略全体が提供されるミキシングヘッド２の形態の射出ユニットからなり、ミキシングスクリュー７５は、先細りスクリュー７４内に回転可能に、かつ並進移動可能に配置される。スクリューチャンバ７４の先細りに従って、この場合もまた、スクリュー７５は円錐体であり、この円錐体は、当該円錐スクリューをノズルマウスピース７６まで延ばす。ノズルマウスピース７６は、２つの側部成形部材７９及び打ち抜き成形台８０からなる成形工具７８のスプルーランナー７７に適用される。本例では、側部成形部材７９及び打ち抜き成形台１０により形成されるキャビティ８１は、ブロック８３により上部で制限されており、ブロック８３は靴アッパー８２に覆い被さっている。
【０２２５】
ノズルマウスピース７６の反対側にあるスクリューチャンバ７４の端部では、供給流路８４が、熱可塑性ベース材料及びベース材料に混合される添加剤の供給システムの内部に通じている。ベース材料及び添加剤は、バルブ機構（図１０）を介してスクリューチャンバ７４に導入され、バルブアセンブリは、スクリューチャンバ７４の周りに半径方向に配置される。Ａ１及びＢ１が、熱可塑性材料を供給する役割を果たすバルブを指しているのに対し、参照記号Ｃ１〜Ｃ６は、それぞれの添加剤を供給する役割を果たすバルブを指している。
【０２２６】
図５から更に明らかになるように、この場合、射出成形により形成される靴底は、セグメント１〜３に実質的に分割される。このようなマルチセクション射出機により、靴底製造をユーザの足の特徴に従って調整することができる。２Ｄ又は３Ｄスキャンデータに鑑みて、靴底の特徴を確認して、例えば異なる特性の射出材料を靴底の前足領域、アーチ領域、及びヒール領域に使用することにより、靴底の異なる特性をこれらの領域又は他の領域に付与することができる。例えば、アーチの位置は、スキャンデータにより特定することができ、このスキャンデータを製造装置に送信することにより、靴底のアーチ領域のサイズ及び形状を決定することができ、靴底は、好ましくは本明細書に記載されている通りに、コンピュータ制御自動マルチゾーン射出手段を使用して製造される。更に別の例として、２Ｄ又は３Ｄスキャンデータは、足の圧力分布に関する情報を供給することができ、したがってこの情報をコンピュータ制御射出成形装置により処理して材料を、当該材料に応じた特徴を有する靴底の特定領域に用いることができ、例えばより硬度の高い、又は柔らかい靴底材料を特定ゾーンに必要とされる通りに、ユーザの足に従って使用することができる。
【０２２７】
ミキシングヘッド７２内の流量を変えることにより、個々のセグメントに、調製されたベース材料と、各セグメントに対応して選択される適切な添加剤を供給する。
【０２２８】
図６は、別の鋳込み法を示している。この場合、図５のミキシングヘッド７２と同じであることが好ましいミキシングヘッド７２は、開口成形キャビティ８１の上方に垂直に配置される。このキャビティもまた、３つのセクターに仮想的に分割される。各セクターに対応して選択される調製材料は、通路又は経路８６に沿ってスループットとは無関係にキャビティ８１の内部に左側から流し込まれ始める。鋳込みは、一気に行なわれ、各セクターには適切な調製が施される。
【０２２９】
図８ｂは、図１の装置により製造される靴底を平面図で示しており、図８ａは、同じ靴底を断面図で示している。セクターの仮想分割は、射出成形法により行なわれる。
【０２３０】
図８ｃでは、図６及び図７の装置をそれぞれ用いた製造プロセスに従って製造されている靴底が表示される。これは、スポットを形成することも可能であることを示している。
【０２３１】
図９は、参照番号８７で特定される所謂添加剤用ラック又はデバイスの模式図を示している。添加剤用ラックはフレーム８８からなり、このフレームの上に、それぞれの必要な添加剤を計量して供給するハードウェア及び電子制御部８９の全てが配置される。
【０２３２】
ハードウェアは、計量ポンプ９０、温度制御圧力容器９１、温度制御ユニット９２、及び図１０に示すバルブ群のうち１つのバルブに接続されるホース９３からなる。表示されていないのが、対応する射出成形機に至る通信ライン、又は電源に至る配線である。
【０２３３】
この添加剤用カート（ラック又はデバイス）は自律ユニットを形成し、自律ユニットは、対応する用途に応じて予め用意しておくことができ、必要な場合に、射出成形機に迅速に接続することができる。
【０２３４】
スクリュー５には更に、駆動部を設けてスクリューを並進移動させる。搬送機能の他に、この駆動部は回転駆動部と一体となって、ミキシングヘッドをクリーニングする役割も果たす。幾つかの充填処理の後、スクリューの速度を大幅に高めることができる（最大１８，０００回転／分）。クリーニングするために、スクリューはノズルマウスピースに向かって移動し、スクリューフライトがスクリューチャンバの内壁に押し付けられることにより、残留材料が削り取られ、スクリュー内に残留する材料が排出される。
【０２３５】
最後に、図１１は、ベース材料の可能な組み合わせを示しており、様々な添加剤が表示されている。
【図１】
2019525853.tif 000010
【図２】
2019525853.tif 000011
【図３】
2019525853.tif 000012
【図４】
2019525853.tif 000013
【図５】
2019525853.tif 000014
【図６】
2019525853.tif 000015
【図７】
2019525853.tif 000016
【図８−１】
2019525853.tif 000017
【図８−２】
2019525853.tif 000018
【図９】
2019525853.tif 000019
【図１０】
2019525853.tif 000020
【図１１】
2019525853.tif 000021
【国際調査報告】
2019525853.tif 000022
2019525853.tif 000023
2019525853.tif 000024